(57)【要約】マンマシンインタフェースが開示される。円は複数の角度セルに分割される。必要な入力内容はセル内に配置され、移動の入力オプション方向はリアルタイムで検出され、ユーザが入力したい内容は移動方向の延長線により指示された外周セル内の内容に従って予測及び入力される。
2011520204.tif 000002
【特許請求の範囲】
【請求項１】
どんな移動方向もリアルタイムで検出でき且つ前記方向に基づいて情報をリアルタイムで予測及び入力できるＭＭＩであって、円の円周は外周セルに分割され、入力される前記内容は前記外周セル内に配置され、前記移動方向はリアルタイムで検出され、前記ユーザにより入力される前記内容は前記移動方向の延長線に存在する前記外周セル内の前記内容に基づいて予測及び判断され、前記ユーザにより入力される前記内容の前記予測及び前記判断を補助するために前記移動経路の始点、方向転換点及び終点の位置情報、休止時間、並びに圧力の大きさはリアルタイムで検出されるＭＭＩ。
【請求項２】
前記高頻度の形態素又は特定目的の形態素は外周セル内に別個に配置され、他の形態素は形態素の順序又は分類により外周セル内にそれぞれ共に配置される請求項１に記載のＭＭＩ。
【請求項３】
請求項２記載の形態素を構成する方法であって、英語及び英語に類似する他の言語に対するインタフェースにおいて、５つの文字「A、E、I、O、T」が１つの外周セル内に別個に配置されるか、前記５つの母音字「A、E、I、O、U」が外周セル内に別個に配置されるか、前記６つの文字「A、E、I、N、O、T」が外周セル内に別個に配置されるか、前記６つの文字「A、E、I、O、S、T」が外周セル内に別個に配置されるか、あるいは前記７つの文字「A、E、I、N、O、S、T」が外周セル内に別個に配置され、漢字に対する前記インタフェースにおいて、５つの必須字画
2011520204.tif 000034
が外周セル内に別個に配置され、日本語の文字に対する前記インタフェースにおいて、日本語の仮名が５０音順に従って５つ毎に外周セル内に共に配置される方法。
【請求項４】
前記基本スライド操作及びそれらの機能は以下の表に列挙される請求項１に記載のＭＭＩ。
2011520204.tif 000035
【請求項５】
前記現在の移動方向が指示する前記外周セル内の前記内容はリアルタイムで変化し、漸進的形態素列は前記ユーザが選択及び続行するために階層的に指示され、前記移動方向が前記外周セルをそれ以上指示しない場合、前記外周セル内の前記内容は前記初期状態に戻る請求項１に記載のＭＭＩ。
【請求項６】
請求項５記載の外周セルに対する階層的漸進的指示機能であって、単語が入力される場合、入力に関係する前記外周セルに依存して異なる内容が指示され、前記第１の外周セル及び前記第２の外周セル内の前記内容が入力される場合、前記指示機能は前記ユーザが選択するために前記外周セル内の前記形態素から始まる一般的な接頭語又は文字列を指示し、前記第２の外周セル及び前記第３の外周セル内の前記内容が入力される場合、前記指示機能は前記ユーザが選択するために前記外周セル内の前記形態素から始まる一般的な文字列を指示し、前記第３の外周セル及び更なる外周セル内の前記内容が入力される場合、前記指示機能は前記外周セル内の前記形態素から始まる一般的な接尾語又は文字列を指示し、前記ＭＭＩはラテン語の入力中にアルファベットの異体字を指示する階層的漸進的指示機能。
【請求項７】
中国語の入力中、漸進的形態素列は以下の表に示すように階層的に指示される請求項５に記載の外周セルに対する階層的漸進的指示機能。
2011520204.tif 000036
【請求項８】
複数の形態素を有する外周セルは拡張及び拡大機能を有し、前記移動方向に存在する前記複数の形態素を有する外周セル内の前記形態素は、前記ユーザが選択するために前記隣接する外周セルに拡張及び拡大可能であり、拡張及び拡大後、前記複数の形態素を有する外周セル内の各形態素は外周セルを別個に占有する請求項１に記載のＭＭＩ。
【請求項９】
複数の形態素を有する拡張可能な外周セル内の前記形態素は、前記外周セル内の前記中央の形態素を中心とした両側に向けての拡張、前記外周セル内の前記高頻度の形態素を中心とした両側に向けての拡張、あるいは前記移動方向により指示された前記形態素を中心とした両側に向けての拡張の３種類で拡張可能である請求項８に記載の複数の形態素を有する外周セルの拡張及び拡大機能。
【請求項１０】
前記外周セルは傾斜拡大機能を有し、すなわち、前記移動方向により指示された前記隣接する外周セルの各角度は前記ユーザが選択するために拡大可能である請求項１に記載のＭＭＩ。
【請求項１１】
アイコンを使用した入力方法及び分類を使用した入力方法が提供され、アイコンがクリック又はスライドにより入力される場合、前記アイコンにより表される分類の内容は前記ユーザが選択するために階層的に拡張され、前記オペレーティングシステムの前記アイコンは連続スライドにより操作可能である請求項１に記載のＭＭＩ。
【請求項１２】
外周セルの直接組み合わせに基づく入力方法が提供され、前記ユーザが複数の外周セルを連続して直接入力する場合、前記システムはこれら外周セル内の全形態素の全ての可能な組み合わせから有意な組み合わせを自動的にフィルタリングし、有意な組み合わせが１つのみ存在する場合、前記組み合わせが直接入力され、２つ以上の組み合わせが存在する場合、頻度の最も高い組み合わせが直接入力される一方で他の組み合わせはユーザが選択するために提供される請求項１に記載のＭＭＩ。
【請求項１３】
外周セルの方向の組み合わせに基づく前記入力方法に対する最初の形態素の補助的選別方法が提供され、前記最初の形態素は別個に入力され、２番目の形態素以降は複数の外周セルが連続して直接入力され、前記システムは全ての可能な組み合わせから有意な組み合わせをフィルタリングし、有意な組み合わせが１つのみ存在する場合、前記組み合わせが直接入力され、２つ以上の組み合わせが存在する場合、頻度の最も高い組み合わせが直接入力される一方で他の組み合わせはユーザが選択するために提供される請求項１に記載のＭＭＩ。
【請求項１４】
前記ユーザが形態素の組み合わせを選択するための方法が提供され、前記外周セル内の入力された形態素の組み合わせが少数しか存在しない形態素の組み合わせとして認識される場合、これら形態素の組み合わせは前記ユーザが選択するために前記円上に直接表示される請求項１に記載のＭＭＩ。
【請求項１５】
請求項１に記載の始点位置情報に基づく補助的判断方法であって、前記始点のゾーンに対応する前記外周セル内の前記正確な形態素が選択されるか、あるいは前記指示された外周セルに対する始点の前記ゾーンの前記位置に従って前記外周セル内の前記形態素が選択され、前記始点の前記ゾーンが前記外周セルに対向する場合、前記外周セル内の前記中央の形態素が入力され、始点の前記ゾーンが前記外周セルに隣接する場合、前記対応する側に存在する前記形態素が入力される補助的判断方法。
【請求項１６】
請求項１に記載の前記始点位置情報に基づく補助的判断方法であって、前記始点の前記ゾーンの情報に従って入力言語の種類又は同一言語の異体字を自動的に認識する補助的判断方法。
【請求項１７】
請求項１に記載の前記始点位置情報に基づく前記補助的判断方法であって、単語、句又は文全体の高度な入力を実現するために、前記始点の前記位置に従って異なるレベルで形態素の境界点、すなわち文字、単語、句又は文における形態素の位置を自動的に識別する補助的判断方法。
【請求項１８】
請求項１に記載の前記始点の前記休止時間情報に基づく補助的判断方法であって、単語、句又は文全体の高度な入力を実現するために、前記始点の前記休止時間に従って異なるレベルで形態素の境界点、すなわち文字、単語、句又は文における形態素の位置を自動的に識別する補助的判断方法。
【請求項１９】
請求項１に記載の方向転換点情報に基づく補助的判断方法であって、前記円を越えた方向転換点の位置に従って前記言語のアクセントの位置を判断し且つ前記方向転換点における前記休止時間に従って前記言語の長母音を判断する補助的判断方法。
【請求項２０】
請求項１に記載の前記始点の前記位置情報に基づく補助的判断方法であって、前記始点の前記ゾーンに従って前記言語の音調を入力する補助的判断方法。
【請求項２１】
請求項１に記載の始点の前記位置情報に基づく補助的判断方法であって、前記始点の前記ゾーンに従って、中国語又は韓国語等の漢字と同様の２次元空間情報を有する他の言語の形態素要素の構造情報を判断し、前記始点の前記ゾーンに従って、漢字における字画、構成要素又は表音文字の構造情報を判断する補助的判断方法。
【請求項２２】
請求項１に記載の始点の前記位置情報に基づく補助的判断方法であって、前記始点の前記ゾーンに従って単語の長さを判断し、前記始点が前記円周上に存在する場合は前記入力された単語の前記長さがｎ以下であることを示し且つ前記始点が前記円内に存在する場合は前記入力された単語の前記長さがｎより長いことを示すか、あるいは前記始点が前記円内の特定のゾーン内に存在する場合は前記入力された単語の前記長さが３文字以下であることを示し、前記始点が前記円内の別のゾーン内に存在する場合は前記入力された単語の前記長さが４〜６文字であることを示し且つ前記始点が前記円内の異なるゾーン内に存在する場合は入力された単語の前記長さが７文字以上であることを示す補助的判断方法。
【請求項２３】
請求項１に記載の始点の前記位置情報に基づく補助的判断方法であって、前記始点の前記位置に従って入力内容の品詞又は意味の分類を判断する補助的判断方法。
【請求項２４】
前記ＭＭＩは複数の指を用いて操作され、前記指は前記インタフェース上でクリックしてスペースキー、エンターキー及び構文キーの機能を達成し、前記指が前記インタフェース上で異なる方向に向けてスライドする場合、前記インタフェースはそれに対応して切り替えられ、前記インタフェース上での異なる方向に向けた前記指のスライドによりキャプスロックキー、バックスペースキー及びエンターキーの機能が実現され、前記インタフェース上での異なる方向に向けた前記指のスライドによりオプションの文字又は単語からの選択及び最後に入力された内容の選択が実現され、前記インタフェース上での異なる方向に向けた前記指のスライドにより単語の時制の選択が実現される請求項１に記載のＭＭＩ。
【請求項２５】
前記ＭＭＩは複数の円を用いて動作してもよく、前記インタフェースは、一方側の円形インタフェース及び他方側の手書き入力インタフェース、マウスインタフェース又は作図インタフェースをサポートするように設計されるか、あるいは前記インタフェースは２つの円を用いて動作してもよく、その場合、一方の円が１次円として使用され且つ他方の円が補助円として前記選択の拡大専用に使用されるか、あるいは前記２つの円の双方が１次円であってもよく、単語が一方の円に入力される場合に次の単語は他方の円に入力されてもよく、前記インタフェースは１次円、補助円、手書き入力インタフェース、作図インタフェース及びマウスインタフェースの間で切り替えられる請求項１に記載のＭＭＩ。
【請求項２６】
前記ＭＭＩは、前記音声入力及び文字／音声入力方法をサポートし、漢字入力において、前記ＭＭＩは音声入力、文字パターン入力、音声／文字パターン入力及び字画入力を同時に提供し且つそれらの入力方法の間での切り替えをサポートする請求項１に記載のＭＭＩ。
【請求項２７】
前記ＭＭＩは、クリック入力による高頻度の文字及び単語の直接入力、あるいは種々のショートカット入力方法をサポートする請求項１に記載のＭＭＩ。
【請求項２８】
前記ＭＭＩは構文ボタン機能を提供し、前記システムが前記構文キーの動作を検出する場合、前記システムは、前記現在入力された単語の品詞に従って、前記対応する構文の単語の入力を自動的に達成する請求項１に記載のＭＭＩ。
2011520204.tif 000037
【請求項２９】
キャプスロックキー、スペースキー、バックスペースキー及びエンターキーは円形フレームと正方形フレームとの間の前記４隅のゾーン内に構成され、更に、前記システムにより指示された前記代替の単語、句又は文から選択するため、前記ユーザにより前に入力された単語、句又は文から選択するため、一般的な単語、句又は文から選択するため、入力インタフェース間で切り替えるため、Ｅｓｃキー、タブキー、カーソルキー（上、下、左、右）、ページアップキー、ページダウンキー、ホームキー及び終了キーの機能を実現するため、コピー、切り取り、貼り付け、削除、取り消し及び再実行等の編集機能を実現するため、前の単語の先頭文字又は全ての文字を大文字に変換するか又は次の単語の先頭文字を大文字に変換する機能を実現するため、あるいは、前の単語又は文の直接削除か又は次の単語又は文の直接削除等を実現するために、スライド動作は、前記４つのゾーンのいずれか１つから開始して異なる方向に向けて実行され、前記漢字入力インタフェースにおいて、隅のゾーン内でのクリックは簡体字中国語と繁体字中国語との間の高速切り替えを達成し、隅のゾーン内でのスライドは手書き認識インタフェースへの切り替えを達成する請求項１に記載のＭＭＩ。
【請求項３０】
前記ユーザが個人名等の前記データベースに存在しない前記単語を入力する場合、前記ユーザは前記形態素を１つずつ入力でき、前記ユーザがそのような単語又は句を入力すると、前記システムは前記システムのデータベースに前記単語を自動的に追加し、それにより前記ユーザはそれ以降前記単語又は前記句を連続入力できる請求項１に記載のＭＭＩ。
【請求項３１】
前記ＭＭＩは、スライド方向の検出に加えて、加圧方向及び振動方向を検出することにより更に動作可能である請求項１に記載のＭＭＩ。
【請求項３２】
前記ＭＭＩは、前記デバイスを振動することによる異なる入力インタフェース間での切り替えをサポートする請求項１に記載のＭＭＩ。
【請求項３３】
前記ＭＭＩは、前記ユーザが前記外周セル内の前記内容の前記入力を確定するための３つの方法を提供する請求項１に記載のＭＭＩ。
2011520204.tif 000038
【発明の詳細な説明】
【技術分野】
【０００１】
本発明は、マンマシンインタフェースの分野及び情報入力の分野に関する。
【背景技術】
【０００２】
現在、マンマシンインタフェースは、種類によりキーボード（移動電話の数字キーパッド、コンピュータのフルサイズのＱＷＥＲキーボード及びポータブルデバイスの異なる比率で縮小されたＱＷＥＲキーボード又は仮想キーボード）、マウス、マイク、タッチスクリーン、タッチパッド、手書きペン、手書きパッド等に分類され、入力モードによりキー入力、音声入力、手書き入力及び座標入力等に分類される。適用性、入力速度、認識率及びコスト等の要因のため、最も一般的な入力モードは依然としてキー入力である。各マンマシンインタフェース（ＭＭＩ）の利点及び欠点を以下の表に列挙する。
2011520204.tif 000003
【０００３】
移動電話、ポータブルデバイスからコンピュータまでの全てのサイズのデバイスに適していて、キーボード及びマウスと同様に正確で速度が速く且つ接触及び手書きと同様に単純で容易に使用できるＭＭＩは現在まで存在しないことが上記の表から明らかである。
【０００４】
特許出願第ＰＣＴ／ＫＲ２００７／００１６９９号（国際公開第ＷＯ２００７／１１４６７７Ａ１号）及び特許出願第ＰＣＴ／ＫＲ２００７／００１７００号（国際公開第ＷＯ２００７／１１４６７８Ａ１号）において、Mobience社はスライド入力システムを開示した。しかし、このシステムはいくつかの欠点を有する。第１に、ユーザが必要な形態素セルにスライドしない限り、システムはユーザの入力を判断できない。第２に、接続線が形態素を通過するため、適切な耐故障性アルゴリズムを実現するのが困難である。第３に、ユーザは文字列を最初から学習する必要がある。
【０００５】
特許出願第ＰＣＴ／ＣＨ０１／００４５３号「Method for A High-Speed Writing System and High-Speed Writing Device」において、Speedscript社は非常に速い入力性能を有するスライド入力システムを開示した。しかし、このシステムはいくつかの欠点を有する。第１に、方法が８方向に制限され且つ方向の１つがスペースバーを表すために使用される必要があるため、方法は母音体系（母音の数は７つ未満である）及び子音体系を有する印欧語族の言語体系か又は７つ以下の高頻度文字を有する言語体系にのみ適用可能である。この方法は日本語の仮名又は漢字に適用できない。第２に、ユーザは方法のより速い文字組みを最初から学習する必要がある。第３に、単語を子音及び母音の対に分割することは、ユーザの思考を非常に妨げる。
【０００６】
また、Dasur社は、米国特許第７，１９９，７８６号によりスライド入力及び手書き入力を組み込んだ「SlideIT」という名称のスライド入力製品を導入した。しかし、この方法はいくつかの欠点を有する。第１に、文字間の接続距離が非常に長い場合があるため、接続動作が困難であり、そのため入力速度が遅い。第２に、接続線が文字を通過するため、適切な耐故障性アルゴリズムを設計するのが困難である。第３に、ユーザが必要な形態素上又はその近辺にスライドしない限り、システムはユーザの入力を判断できない。
【０００７】
現在、大部分のＭＭＩが、押下により情報を入力する実際のキーボード又は仮想キーボードか、直線の方向転換点が位置する形態素を検出することにより情報を入力するMobience社又はDasur社により導入されたのと同様の製品か、あるいは特定の入力情報として固定方向を定義することにより情報を入力するSpeedscript社により導入されたのと同様の製品を依然として採用していることが上述から明らかである。現在まで、ユーザの移動方向を検出し且つユーザの入力内容をリアルタイムで予測できる方法は存在しない。感覚的に直接知覚され、人間工学的に設計され、種々の言語の特有の文化及び規則に従い、単純なクリック、スライド、線引き又は押下により情報を入力でき、タッチスクリーン及び音声入力と同様に自然であり且つ感覚的に直接知覚され、手書き入力と同様に単純で利便性が高く、実際のキーボード入力と同様に正確であり、入力速度が速く且つ低価格であるＭＭＩが必要とされる。
【発明の概要】
【０００８】
本発明により解決される技術的問題は、従来技術の欠点を克服し且つ新規なマンマシンインタフェース（ＭＭＩ）を提供することである。
【０００９】
本発明の１つの目的は、全ての言語及び記号の特徴に従い、移動電話、ポータブルデバイス、コンピュータから大画面ＴＶまでの全てのサイズのデバイスに適用可能であり、点から平面までの全てのサイズに適用可能であり、自然であり且つ感覚的に直接知覚され、低価格で高速な入力速度を実現するＭＭＩを提供することである。
【００１０】
上述の技術的問題を解決するため、本発明は以下の技術方式を採用する。
【００１１】
本発明は、どんな移動方向もリアルタイムで検出でき且つ検出された方向に従って情報をリアルタイムで予測及び入力できるＭＭＩを提供する。円周は外周セル(antular cell)に分割され、入力される内容は外周セル内に配置され、移動方向はリアルタイムで検出され、ユーザの所期の内容は移動方向の延長線が指示する外周セル内の内容に従って予測及び判断され、ユーザの所期の入力内容の予測及び判断を補助するために移動経路の始点、方向転換点及び終点の位置、休止時間、並びに圧力の大きさはリアルタイムで検出される。
【００１２】
前記ＭＭＩにおいて、高頻度の形態素又は特別な機能を有する形態素は外周セル内に別個に配置される。他の形態素は順序又は分類により外周セル内にそれぞれ共に配置される。
【００１３】
形態素を構成する上述の方法に関して、英語及び英語に類似する他の言語の言語インタフェースにおいて、５つの文字「A、E、I、O、T」が１つの外周セル内に別個に配置されるか、５つの母音字「A、E、I、O、U」が外周セル内に別個に配置されるか、６つの文字「A、E、I、N、O、T」が外周セル内に別個に配置されるか、６つの文字「A、E、I、O、S、T」が外周セル内に別個に配置されるか、あるいは７つの文字「A、E、I、N、O、S、T」が外周セル内に別個に配置される。漢字に対するインタフェースにおいて、５つの必須字画
2011520204.tif 000004
が外周セル内に別個に配置される。日本語の文字のインタフェースにおいて、日本語の仮名が５０音順に従って５つ毎に外周セル内に共に配置される。
【００１４】
前記ＭＭＩの基本スライド動作及び機能を以下の表に列挙する。
2011520204.tif 000005
【００１５】
ＭＭＩにおいて、現在の移動方向が指示する外周セル内の内容はリアルタイムで変化し、漸進的形態素列はユーザが選択及び続行するために階層的に指示される。移動方向が外周セルをそれ以上指示しない場合、外周セル内の内容は初期状態に戻る。
【００１６】
単語が入力される場合、外周セルの階層的漸進的指示機能は入力された外周セルに依存して異なる内容を指示する。第１の外周セル及び第２の外周セル内の内容が入力される場合、指示機能はユーザが選択するために外周セル内の形態素から始まる一般的な接頭辞又は文字列を指示する。第２の外周セル及び第３の外周セル内の内容が入力される場合、指示機能はユーザが選択するために外周セル内の形態素から始まる一般的な文字列を指示する。第３の外周セル及び更なる外周セル内の内容が入力される場合、指示機能はユーザが選択するために外周セル内の形態素から始まる一般的な接尾語又は文字列を指示する。
【００１７】
ラテン語系の単語が入力される場合、外周セルの階層的漸進的指示機能は文字の異体字を指示する。
2011520204.tif 000006
【００１８】
中国語の入力中、外周セルの階層的漸進的指示機能は以下の表に示すように漸進的形態素列を階層的に指示する。
【００１９】
前記ＭＭＩにおいて、複数の形態素を有する外周セルは拡張及び拡大機能を有する。すなわち、移動方向が指示する複数の形態素を有する外周セル内の形態素は、ユーザが選択するために隣接する外周セルに拡張及び拡大可能である。拡張及び拡大後、複数の形態素を有する外周セル内の各形態素は外周セルを別個に占有する。
【００２０】
上述の複数の形態素を有する外周セルの拡張及び拡大機能を用いる場合、拡張可能な外周セル内の形態素は３つの方法で拡張可能である。第１に、外周セル内の中央の形態素を中心として両側に向けて拡張する。第２に、外周セル内の高頻度の形態素を中心として両側に向けて拡張する。第３に、移動方向が指示する形態素を中心として両側に向けて拡張する。
【００２１】
前記ＭＭＩにおいて、外周セルは傾斜拡大機能を有する。すなわち、移動方向が指示する隣接する外周セルの各角度は、ユーザが選択するために拡大可能である。
【００２２】
前記ＭＭＩは、アイコンを使用した入力方法及び分類を使用した入力方法を提供する。アイコンがクリック又はスライドにより入力される場合、アイコンにより表された分類の内容は、ユーザが選択するために階層的に拡張される。オペレーティングシステムのアイコンは連続スライドにより操作可能である。
【００２３】
前記ＭＭＩは、外周セルの方向の組み合わせに基づく入力方法を提供する。ユーザが複数の外周セルを連続して直接入力する場合、システムはこれら外周セル内の全形態素の全ての可能な組み合わせから有意な組み合わせを自動的にフィルタリングする。有意な組み合わせが１つのみ存在する場合、組み合わせは直接入力される。２つ以上の組み合わせが存在する場合、高頻度の組み合わせは直接入力され、他の組み合わせはユーザが選択するために提供される。
【００２４】
前記ＭＭＩは、外周セルの方向の組み合わせに基づく入力方法に対する最初の形態素の補助的選別方法を提供する。最初の形態素は別個に入力され、２番目の形態素以降の複数の外周セルは連続して直接入力され、システムは全ての可能な組み合わせから有意な組み合わせをフィルタリングする。有意な組み合わせが１つのみ存在する場合、組み合わせは直接入力される。２つ以上の組み合わせが存在する場合、高頻度の組み合わせは直接入力され、他の組み合わせはユーザが選択するために提供される。
【００２５】
前記ＭＭＩは、ユーザが形態素の組み合わせを選択するための方法を提供する。外周セル内の入力された形態素の組み合わせが少数しか存在しない形態素の組み合わせとして認識される場合、これら形態素の組み合わせはユーザが選択するために円上に直接表示される。
【００２６】
始点位置情報に基づく前記補助的判断方法は、始点のゾーンに対応する外周セル内の正確な形態素を選択する。あるいは、外周セル内の形態素は指示された外周セルに対する始点のゾーンの位置に従って選択される。始点のゾーンが外周セルに対向する場合、外周セル内の中央の形態素が入力され、始点のゾーンが外周セルに隣接する場合、対応する側に存在する形態素が入力される。
【００２７】
始点位置情報に基づく補助的判断方法は、始点のゾーンの情報に従って入力言語の種類又は同一言語の異体字を自動的に認識する。
【００２８】
始点位置情報に基づく補助的判断方法は、単語、句又は文全体の高度な入力を実現するために、始点のゾーンに従って異なるレベルで形態素の境界点、すなわち文字、単語、句又は文における形態素の位置を自動的に識別する。
【００２９】
始点の休止時間情報に基づく補助的判断方法は、単語、句又は文全体の高度な入力を実現するために、始点の休止時間情報に従って異なるレベルで形態素の境界点、すなわち文字、単語、句又は文における形態素の位置を自動的に識別する。
【００３０】
方向転換点情報に基づく補助的判断方法は、円を越えた方向転換点の位置に従って言語のアクセントの位置を判断し且つ方向転換点における休止時間に従って言語の長母音を判断する。
【００３１】
始点の位置情報に基づく補助的判断方法は、始点のゾーンに従って言語の音調を入力する。
【００３２】
始点の位置情報に基づく補助的判断方法は、始点のゾーンに従って、中国語又は韓国語等の漢字と同様の２次元空間情報を有する他の言語の形態素要素の構造情報を判断する。方法は、始点のゾーンに従って、漢字における字画、構成要素又は表音文字の構造情報を判断する。
【００３３】
始点の位置情報に基づく補助的判断方法は、始点のゾーンに従って単語の長さを判断する。始点が円周上に存在する場合は入力された単語の長さがｎ以下であることを示し、始点が円内に存在する場合は入力された単語の長さがｎより長いことを示す。あるいは、始点が円内の特定のゾーン内に存在する場合は入力された単語の長さが３文字以下であることを示し、始点が円内の別のゾーン内に存在する場合は入力された単語の長さが４〜６文字であることを示し、始点が円内の異なるゾーン内に存在する場合は入力された単語の長さが７文字以上であることを示す。
【００３４】
始点の位置情報に基づく補助的判断方法は、始点の位置に従って入力内容の品詞又は意味の分類を判定する。
【００３５】
前記ＭＭＩは２本以上の指により操作可能である。指は、インタフェース上でクリックしてスペースキー、エンターキー及び構文キーの機能を実現する。指がインタフェース上で異なる方向に向けてスライドする場合、インタフェースはそれに対応して切り替えられる。インタフェース上での異なる方向に向けた指のスライドによりキャプスロックキー、バックスペースキー及びエンターキーの機能が実現される。インタフェース上での異なる方向に向けた指のスライドによりオプションの文字又は単語からの選択及び最後に入力された内容の選択が実現される。インタフェース上での異なる方向に向けた指のスライドにより単語の時制の選択が実現される。
【００３６】
前記ＭＭＩは２つ以上の円を用いて動作してもよい。インタフェースは、一方側の円形インタフェース及び他方側の手書き入力インタフェース、マウスインタフェース又は作図インタフェースをサポートするように設計される。あるいは、インタフェースは２つの円を用いて動作してもよい。その場合、一方の円は１次円として使用され、他方の円は補助円として選択の拡大専用に使用される。あるいは、双方の円が１次円であってもよく、単語が一方の円に入力される場合、次の単語は他方の円に入力されてもよい。インタフェースは、１次円、補助円、手書き入力インタフェース、作図インタフェース及びマウスインタフェースの間で切り替えられる。
【００３７】
前記ＭＭＩは、クリックによる高頻度の文字及び単語の直接入力、並びに種々の高速入力方法をサポートする。
【００３８】
前記ＭＭＩは音声入力及び文字／音声入力をサポートする。
【００３９】
漢字入力において、前記ＭＭＩは、音声入力、文字パターン入力、音声／文字パターン入力及び字画入力を同時に提供し且つそれらの入力方法の間での切り替えをサポートする。
【００４０】
前記ＭＭＩは構文キー機能を提供する。システムが構文キーの動作を検出する場合、システムは、現在入力された単語の品詞に従って、対応する構文の単語の入力を自動的に達成する。
2011520204.tif 000007
【００４１】
前記ＭＭＩにおいて、キャプスロックキー、スペースキー、バックスペースキー及びエンターキーは、円形フレームと正正方形フレームとの間の４隅のゾーン内に構成される。更に、システムにより指示された代替の単語、句又は文から選択するため、ユーザにより前に入力された単語、句又は文から選択するため、一般的な単語、句又は文から選択するため、入力インタフェース間で切り替えるため、Ｅｓｃキー、タブキー、カーソルキー（上、下、左、右）、ページアップキー、ページダウンキー、ホームキー及び終了キーの機能を実現するため、コピー、切り取り、貼り付け、削除、取り消し及び再実行等の編集機能を実現するため、前の単語の先頭文字又は全ての文字を大文字に変換するか又は次の単語の先頭文字を大文字に変換する機能を実現するため、前の単語又は文の直接削除、あるいは次の単語又は文の直接削除等を実現するために、スライド動作は、４つのゾーンのいずれか１つから開始して異なる方向に向けて実行される。漢字入力インタフェースにおいて、隅のゾーン内でのクリックは簡体字中国語と繁体字中国語との間の高速切り替えを達成し、隅のゾーン内でのスライドは手書き認識インタフェースへの切り替えを達成する。
【００４２】
ＭＭＩにおいて、ユーザは３つの方法で外周セル内の入力内容を確定できる。
2011520204.tif 000008
【００４３】
前記ＭＭＩは、単語の頻度に基づいて、ユーザの入力角度に対する耐故障性処理を実行する。
【００４４】
前記ＭＭＩを使用する場合、ユーザが個人名等のベータベースに存在しない単語又は句を入力する場合、ユーザは形態素を１つずつ入力できる。ユーザがそのような単語又は句を入力すると、システムはシステムのデータベースに単語又は句を自動的に追加し、それによりユーザはそれ以降単語又は句を連続入力できる。
【００４５】
前記ＭＭＩは、スライド方向の検出に加えて、加圧方向及び振動方向を検出することにより更に動作可能である。
【００４６】
前記ＭＭＩは、デバイスを振動することによる異なる入力インタフェース間での切り替えをサポートする。
【００４７】
前記ＭＭＩを使用する場合、階層的漸進的指示機能及び外周セル拡大機能を交互に使用できる。
【００４８】
ユーザがＭＭＩから離れる場合、前記ＭＭＩは、システムにより表示されたか又は指示された内容を入力し且つ必要に応じてスペースを自動的に追加又は削除できる。
【００４９】
従来技術と比較して、本発明は以下の利点を有する。
【００５０】
１．本発明のＭＭＩ上での形態素の順序は全ての言語及び記号の特徴に適しているため、ユーザは自身の母国語の形態素を用いて直接入力できる。従って、ユーザは学習することなく直ぐにＭＭＩを使い始められる。特に、コンピュータ等の電子デバイスを使用したことがない初心者は、ＱＷＥＲキーボードのレイアウトに慣れるため及びタイプ打ちを学習するために多くの時間を費やす必要がない。母国語が英語ではないユーザに対して、ＭＭＩは自然な母国語環境及び母国語での発話順と一致する形態素の順序を提供する。
【００５１】
２．ＭＭＩは、小さな表面上での膨大な情報の高速入力を可能にするため、ポータブル電子デバイス（移動電話、ＭＩＤ、ＵＭＰＣ及びタブレットＰＣ等）上での情報入力の広範な応用への見通しが立つ。ＭＭＩは、膨大な情報を処理するためにはフルサイズのＱＷＥＲキーボードが必要であるが、そのようなＱＷＥＲキーボードを有する小型デバイスを製造するのは困難であるという矛盾を克服する。（RIM社が製造するBlackBerry移動電話は一体型ＱＷＥＲキーボードを搭載するが、キーボードが小型であるため、フルサイズのキーボードのように１０本の指では入力できず、小型ＱＷＥＲキーボードでは同時に２本の指を用いる入力のみが可能である。APPLE社が製造するIPHONEは一体型ソフトＱＷＥＲキーボードを搭載するが、キーボードが小型であるため都合よく使用できない。）本発明において提供されるＭＭＩは、移動電話からポータブルデバイス、コンピュータ及び大画面ＴＶまでの全てのサイズのデバイスに適用可能である。
【００５２】
３．高頻度の形態素を別個の外周セル内に構成し且つ他の低頻度の形態素を言語における形態素の順序でまとめて外周セル内に構成することにより、各言語の基本形態素は８〜１２個の外周セルに分配可能である。このように、各外周セルの角度は少なくとも３０°であり、ユーザが不正確な操作を心配することなくスライド、打鍵及び加圧を行うのに充分である。
【００５３】
４．外周セルの数を減少することにより、入力される元の形態素単位は５０％以上減少される。例えば英語の場合、２６文字の単位は１０個の外周セルに置き換えられ、６０％減少される。日本語の場合、５０個の漢字コードは１０個の外周セルに置き換えられ、８０％減少される。
【００５４】
５．別個の外周セルに高頻度の形態素を構成することにより、最初の形態素を入力する場合に同一外周セル内の形態素から選択するために必要な動作が減少され且つ個々の形態素を入力する場合に同一外周セル内の形態素から選択するために必要な動作が減少される。例えば英語インタフェースにおいて、５つの高頻度の文字「A、E、I、O、T」の累積度数及び先頭文字である頻度は共に４０％より高く、６つの高頻度の文字「A、E、I、N、O、T」の累積度数は５０％より高い。すなわち、個々の形態素を入力する場合、ユーザは４０％又は半分の割合で直接入力でき、外周セル内の文字から選択する必要がない。最初の形態素を入力する場合、ユーザは４０％より多い割合で直接入力できる。
【００５５】
６．移動方向の延長線が必要な内容を指示する限り、ユーザは必要な内容に実際に接触する必要がない。従って、移動距離が短くなり、入力速度が向上される。
【００５６】
７．外周セルは入力方法と組み合わされて使用されるため、形態素から選択する動作は減少され、それにより入力速度が向上される。
【００５７】
８．最初の形態素が別個に入力され且つ２番目から最後までの形態素が拡張を行わずに組み合わせて直接入力される場合、直接入力された単語の精度は９２％〜９６％と高く、１つの単語が指示される場合、９８％〜９９．７％の割合でユーザの所期の単語が指示される。
【００５８】
９．１文字の単語及び２文字の単語の９８％以上は、単に１度のスライド動作のみで入力可能である。１文字の単語及び２文字の単語の総累積度数は１９％を占める。すなわち、約２０％の割合で、ユーザは単にスライド動作により必要な内容を入力できる。
【００５９】
１０．ＭＭＩは、音声入力機能、文字パターン入力機能、音声／文字パターン入力機能、字画入力機能、数字入力機能、手書き入力機能、プロッティングボード入力機能及びマウス入力機能を同時に提供する。更に、インタフェースはこれらの機能間で切り替え可能である。
【００６０】
１１．ＭＭＩは、単語、句又は文全体の高度な入力を実現するため及びユーザの入力を軽減し且つ入力速度を向上するため、始点の位置又は始点における休止時間に従って異なるレベルで形態素の境界点（すなわち、文字、単語、句又は文における形態素の位置情報）を自動的に識別できる。
【００６１】
１２．階層的及び漸進的に拡張される形態素列と形態素の組み合わせとを使用することにより、ユーザは更に長い形態素列又は形態素の組み合わせを入力するために元の方向に沿う（あるいは、若干方向転換した）移動を続行できる。従って、スライド、打鍵及び加圧の方向の変更は減少され、入力速度及び利便性が向上される。
【００６２】
１３．外周セル内の形態素のうち特定の形態素は、始点の位置及び開始方向に従って直接入力可能である。
【００６３】
１４．外周セル拡大機能は入力角度に関する問題を効果的に解決する。
【００６４】
１５．構文キーの機能はユーザの構文の誤りを減少できる。
【００６５】
１６．ＭＭＩは複数の指を共に用いる操作をサポートする。
【００６６】
１７．方向転換点の位置は言語のアクセントを入力するために利用可能であり、始点の位置は言語の音調を入力するために利用可能である。
【００６７】
１８．高頻度の単語はクリックにより直接入力可能である。例えば、累積度数が１０％より高い１０〜１２個の高頻度の漢字は直接提供されるため、それらの漢字はクリックにより直接入力可能である。すなわち、１０％の割合で、ユーザは単にクリックにより所期の内容を入力できる。これらの文字は、線で互いを直接結ぶことにより対で入力可能である。
【００６８】
１９．入力内容の分類及び品詞、並びに漢字の構造情報（字画及び構成要素等）は、始点の位置に従って判定される。
【００６９】
２０．オペレーティングシステムのアイコンは、従来の方法でスライドすることにより操作可能である。
【図面の簡単な説明】
【００７０】
当業者に本発明を更によく理解させるため及び上述の本発明の利点を更に明確にするため、添付の図面を参照して本発明を以下に更に詳細に説明する。
【図１】ＭＭＩの基本要素の形状を示す図である。
【図２】ＭＭＩの基本要素の組み合わせの一実施形態を示す図である。
【図３】外側の正正方形と内側の円との間の四隅の空間を概略的に示す図である。
【図４】円内のゾーンを概略的に示す図である。
【図５】外周セル内の内容を概略的に示す図である。
【図６】単一の形態素と複数の形態素との組み合わせを概略的に示す図である。
【図７】円の内側の正正方形内の内容を概略的に示す図である。
【図８】英語の円を概略的に示す図である。
【図９】英語の音声記号の円を概略的に示す図である。
【図１０】句読記号の円を概略的に示す図である。
【図１１】数字の円を概略的に示す図である。
【図１２】漢字の字画の円及び漢字の構成要素の円を示す図である。
【図１３】中国語の音声記号、音声表記及び広東語の円を概略的に示す図である。
【図１４】日本語の円を概略的に示す図である。
【図１５】基本スライド動作を概略的に示す図である。図１５−１は、円周から内側へのスライドを示す図である。図１５−２は、円の内側から円周に向けてのスライドを示す図である。図１５−３は、始点での休止を示す図である。図１５−４は、円の内側から円周への直接スライドを示す図である。  図１５−５は、円周から外側へのスライドを示す図である。図１５−６は、円周から外側へスライドした後にスライドして戻る動作を示す図である。図１５−７は、２つの隣接する外周セル間でのスライドを示す図である。図１５−８は、２つの隣接する外周セル間でのスライドを示す図である。図１５−９は、外周セル内での反時計回り方向のスライドを示す図である。図１５−１０は、外周セル内での時計回り方向のスライドを示す図である。図１５−１１は、２本の指を円周から内側へ引き寄せる動作を示す図である。図１５−１２は、２本の指を円周から外側へ広げる動作を示す図である。図１５−１３は、２本の指を円周上で反時計回り方向にスライドする動作を示す図である。図１５−１４は、２本の指を円周上で時計回り方向にスライドする動作を示す図である。図１５−１５は、組み合わされたスライドを概略的に示す図である。
【図１６】ユーザ入力のリアルタイム予測を概略的に示す図である。
【図１７】延長されたスライド動作を概略的に示す図である。
【図１８】階層的漸進的予測指示機能を概略的に示す図である。図１８−１は、各レベルにおいて１つの指示を示す例を概略的に示す図である。図１８−２は、各レベルにおいて複数の指示を示す例を概略的に示す図である。
【図１９】階層的漸進的予測指示機能の段階を示す図である。
【図２０】漢字の字画に対する階層的指示の一実施形態を示す図である。
【図２１】英語及び中国語の音声に対する階層的指示の一実施形態を示す図である。
【図２２】外周セル内の複数の形態素からの選択を概略的に示す図である。図２２−１は、外周セル内の複数の形態素を示す図である。図２２−２は、クリックによる外周セルの一端に存在する形態素の選択を示す図である。図２２−３は、外周セルの一端から中央へのスライドを示す図である。図２２−４は、一端から他端へのスライドを示す図である。図２２−５は、クリックによる他端に存在する形態素の選択を示す図である。図２２−６は、逆方向のスライドを示す図である。
【図２３】外周セルの拡大機能を概略的に示す図である。図２３−１は、複数の形態素を有する外周セルから隣接する外周セルに向けての拡張を示す図である。図２３−２は、単一の形態素を有する各外周セルが拡大されることを示す図である。
【図２４】外周セルの階層的漸進的拡張及び拡大を概略的に示す図である。
【図２５】英語インタフェース上での基本スライド動作の一実施形態を示す図である。
【図２６】直接スライドによる最初の形態素の入力を概略的に示す図である。
【図２７】英単語「they」の入力を概略的に示す図である。
【図２８】代替の単語の選択を概略的に示す図である。
【図２９】始点の位置に基づく英語の外周セル内の形態素の選択を概略的に示す図である。
【図３０】始点の位置に基づく英語の外周セル内の形態素の選択を概略的に示す図である。
【図３１】中国語の音声記号、音声表記及び広東語に対する始点の位置に基づく外周セル内の形態素の選択を概略的に示す図である。
【図３２】始点の位置に基づく日本語の外周セル内の形態素の選択を概略的に示す図である。
【図３３】複数の形態素を有する外周セルの異なる方向に向けての拡張の一実施形態を示す図である。
【図３４】複数の形態素を有する外周セル内の形態素を拡大して選択する一実施形態を示す図である。
【図３５】英語における単語「kind」の先頭文字の拡大入力の一実施形態を示す図である。
【図３６】英語の２６個の文字の全てがそれぞれ拡大されることを示す図である。
【図３７】始点における休止時間に従う英語の句の入力の一実施形態を示す図である。
【図３８】英語に対する階層的漸進的指示機構において各レベルで複数の指示を提供する一実施形態を示す図である。
【図３９】日本語の外周セルを拡大する一実施形態を示す図である。
【図４０】英語の音声記号の入力の一実施形態を示す図である。
【図４１】数字の円における操作の一実施形態を示す図である。
【図４２】本発明における異なる言語及び異なる形態のＭＭＩの一実施形態を示す図である。
【図４３】正正方形における形態素のレイアウトの一実施形態を示す図である。図４３−１は、正正方形における形態素のレイアウトの一実施形態を示す図である。図４３−２は、正正方形における句読記号のレイアウトの一実施形態を示す図である。図４３−３は、正正方形における英字、句読点及び数字のレイアウトの一実施形態を示す図である。図４３−４は、正方形における日本語のレイアウトの一実施形態を示す図である。図４３−５は、正方形におけるアラビア語のレイアウトの一実施形態を示す図である。
【図４４】複数の指を用いる操作を示す図である。
【図４５】複数の指を用いるスライド動作を示す図である。
【図４６】複数のＭＭＩを共に使用する例を概略的に示す図である。図４６−１は、２つの円を共に使用する例を概略的に示す図である。図４６−２は、中央に空白が存在する場合のスライドを概略的に示す図である。図４６−３は、中央にマウスが存在する２つの円のレイアウトを示す図である。図４６−４は、マウス及び円の一実施形態を示す図である。図４６−５は、手書き認識と円との組み合わせの一実施形態を示す図である。
【図４７】英語において２つの円を共に使用する一実施形態を示す。
【図４８】２つの円に英語の形態素を分割する一実施形態を示す。
【図４９】本発明における他の移動方向検出方法の一実施形態を示す図である。図４９−１は、加圧方向に存在する点を検出するＭＭＩを示す図である。図４９−２は、加圧方向に存在する２つの点を検出するＭＭＩを示す図である。図４９−３は、親指タッチパッドを有するＭＭＩを示す図である。図４９−４は、ポイントスティックを有するＭＭＩを示す図である。
【図５０】アイコンを使用した用途を概略的に示す図である。
【図５１】スライドによる時制の選択を概略的に示す図である。
【図５２】セルを直接組み合わせることによる入力方法を示すフローチャートである。
【図５３】多言語円形インタフェースの一実施形態を示す図である。図５３−１は、日本語の円形インタフェースの一実施形態を示す図である。図５３−２は、韓国語の円形インタフェースの一実施形態を示す図である。図５３−３は、ブギス語の円形インタフェースの一実施形態を示す図である。図５３−４は、タイ・レ文字の円形インタフェースの一実施形態を示す図である。図５３−５は、ギリシャ語の円形インタフェースの一実施形態を示す図である。図５３−６は、マンディンゴ語（西アフリカ）の円形インタフェースの一実施形態を示す図である。図５３−７は、ウイグルオルホン語の円形インタフェースの一実施形態を示す図である。
【図５４】多言語円形インタフェースの一実施形態を示す図である。図５４−１は、アイスランド語の円形インタフェースの一実施形態を示す図である。図５４−２は、ポーランド語の円形インタフェースの一実施形態を示す図である。図５４−３は、チェコ語の円形インタフェースの一実施形態を示す図である。図５４−４は、アルバニア語の円形インタフェースの一実施形態を示す図である。図５４−５は、グルジア語の円形インタフェースの一実施形態を示す図である。図５４−６は、イタリア語の円形インタフェースの一実施形態を示す図である。図５４−７は、ルーマニア語の円形インタフェースの一実施形態を示す図である。図５４−８は、リトアニア語の円形インタフェースの一実施形態を示す図である。図５４−９は、エストニア語の円形インタフェースの一実施形態を示す図である。図５４−１０は、フィンランド語の円形インタフェースの一実施形態を示す図である。図５４−１１は、トルコ語の円形インタフェースの一実施形態を示す図である。図５４−１２は、ラトヴィア語の円形インタフェースの一実施形態を示す図である。図５４−１３は、クロアチア語の円形インタフェースの一実施形態を示す図である。図５４−１４は、スロベニア語の円形インタフェースの一実施形態を示す図である。図５４−１５は、フェロー語の円形インタフェースの一実施形態を示す図である。図５４−１６は、スウェーデン語の円形インタフェースの一実施形態を示す図である。図５４−１７は、ドイツ語の円形インタフェースの一実施形態を示す図である。図５４−１８は、ポルトガル語の円形インタフェースの一実施形態を示す図である。図５４−１９は、デンマーク語及びノルウェー語の円形インタフェースの一実施形態を示す図である。
【図５５】多言語円形インタフェースの一実施形態を示す図である。図５５−１は、ブルガリア語の円形インタフェースの一実施形態を示す図である。図５５−２は、ベラルーシ語の円形インタフェースの一実施形態を示す図である。図５５−３は、ロシア語の円形インタフェースの一実施形態を示す図である。図５５−４は、トルコ語の円形インタフェースの一実施形態を示す図である。図５５−５は、ブヒッド語の円形インタフェースの一実施形態を示す図である。図５５−６は、ハヌノオ語の円形インタフェースの一実施形態を示す図である。図５５−７は、タガログ語の円形インタフェースの一実施形態を示す図である。図５５−８は、タグバンワ語の円形インタフェースの一実施形態を示す図である。図５５−９は、コプト語の円形インタフェースの一実施形態を示す図である。図５５−１０は、ヘブライ語の円形インタフェースの一実施形態を示す図である。
【発明を実施するための形態】
【００７１】
図１は、本発明におけるＭＭＩの基本要素を概略的に示す図である。図１−１は、円周を概略的に示す図であり、図１−２〜図１−９は、３〜１０個の外周セルへの円周の分割を示す。図１−１０は、１２個の外周セルへの円周の分割を示す。図１−１１は、２１個以上の外周セルへの円周の分割を示す。図１−１２は三角形の基本要素を示す。図１−１３は正方形の基本要素を示す。図１−１４は、ＭＭＩを構成する基本要素に使用される正方形フレームを示す。図１−１５は、ＭＭＩを構成する基本要素に使用される円形フレームを示す。図１−１６は、ＭＭＩを構成する正方形の基本要素を示す。
【００７２】
言語の記号体系の特徴及び配列に従って、端と端とが接する中空配列に言語の記号を構成し、円周を種々の数の外周セルに分割する。外周セルの数は、各言語の記号体系の基本形態素の数及び性質により判定される。図１に示すような基本要素に形態素を割り当てる。基本要素は、図１−１〜図１−１１に示すように円であってもよく、図１−１２に示すように三角形であってもよく、あるいは図１−１３に示すように正方形であってもよい。
【００７３】
図５は、端と端とが接する種々の中空配列の実施形態を示す。図５−１に示す「Ａ」〜「Ａｎ」は、ユーザにより入力される内容を表す。「Ａ」は入力される内容を表し、「ｎ」は入力される内容の数を表す。図５−２〜図５−１７は、種々の内容「Ａ」の実施形態を示す。図５−２は形態素の入力を示す。形態素は、図５−３に示すように文字であってもよく、図５−４に示すように文字であってもよく、図５−５に示すように単語であってもよく、図５−６に示すように文であってもよく、図５−７に示すように構成要素であってもよく、図５−８に示すように字画であってもよく、図５−９に示すように構成要素及び字画であってもよく、あるいは図５−１０に示すように音声記号であってもよい。形態素の種類は、ユーザにより入力される言語の種類に従って判定される。また、入力内容「Ａ」は、図５−１１に示すように数字であってもよく、図５−１２に示すように句読点であってもよく、図５−１３に示すように記号であってもよく、図５−１４に示すように分類であってもよく、図５−１５及び図５−１６に示すようにアイコンであってもよく、あるいは図５−１７に示すようにプログラムであってもよい。更にアイコンは、ファイル、ファイルフォルダ等のユーザにより入力される他の内容及び情報（不図示）を表してもよい。
【００７４】
図６は、いくつかの外周セルが１つの形態素のみを有し、他の外周セルが複数の形態素を有する構成を示す。複数の形態素を組み合わせて同一外周セル内に配置することにより、外周セルの数が減少し且つ各外周セルの角度が拡張する。外周セルに高頻度の形態素又は特定の形態素を別個に配置することにより、入力精度が向上する。
【００７５】
図８〜図１４は、図５及び図６に示す技術方式の実施形態を示す。図８−１は、各々が外周セル内に配置される２６個の英字の一実施形態を示す。図８−２は、高頻度の各英字「A、E、I、O、T」を別個の外周セル内に配置する一方で、他の文字「B、C、D」が外周セル内に共に配置され、３つの文字「F、G、H」が外周セル内に共に配置され、５つの文字「J、K、L、M、N」が外周セル内に共に配置され、４つの文字「P、Q、R、S」が外周セル内に共に配置され且つ５つの文字「U、V、W、X、Y、Z」が外周セル内に共に配置される構成を示す。図８−３は、５つの母音字「A、E、I、O、U」の各々を別個の外周セル内にそれぞれ配置する構成を示す。図８−４は、文字「A、E、I、N、O、S、T」の各々を別個の外周セル内にそれぞれ配置する構成を示す。図８−５は、文字「A、E、I、N、O、T」の各々を別個の外周セル内にそれぞれ配置する構成を示す。図８−６は、文字「A、E、I、O、S、T」の各々を別個の外周セル内にそれぞれ配置する構成を示す。図８−７は、英字の順序に従って文字をまとめて外周セル内に配置する構成を示す。図９は、図５−１０に示す音声記号の円の一実施形態を示す。図９−１は、英語の音声記号の順序に従ってそれらを配置する構成を示す。図９−２は、種類により英語の音声記号を配置する構成を示す。図１０は、図５−１２に示す句読点の円の一実施形態を示す。図１１は、図５−１１に示す数字の円の一実施形態を示す。図１２は、種々の漢字の円の実施形態を示す。図１２−１は、図５−７に示す構成要素の円の一実施形態を示す。図１２−２、図１２−３及び図１２−４は、図５−９に示す構成要素の円及び字画の円の実施形態を示す。図１２−２、図１２−３及び図１２−４は、中国語の５つの基本字画
2011520204.tif 000009
の各々を別個の外周セルにそれぞれ配置する構成を示す。図１２−５及び図１２−６は、図５−８に示す字画の円の実施形態を示す。図１３−１及び図１３−２は、外側の円に中国語の音声体系の語頭子音を配置し且つ内側の正方形に語尾子音を配置する構成を示す。図１３−１は、「bpmf」順の構成を示す。図１３−２は、「bcdf」順の構成を示す。図１３−３及び図１３−４は、音声表記の実施形態を示す。図１３−５は、中国語の音声体系の語頭子音を組み合わせた円の一実施形態を示す。図１３−６は、音声表記の語頭子音を組み合わせた円の一実施形態を示す。図１３−７は、中国語の音声体系の語頭子音と語尾子音とを組み合わせた円の一実施形態を示す。図１３−８は、広東語の語頭子音と語尾子音とを組み合わせた円の一実施形態を示す。図１３−９は、音声表記の語頭子音と語尾子音とを組み合わせた円の一実施形態を示す。図１４は、日本語の円の一実施形態を示す。図１４−１は、５０個の漢字コードの順序で漢字コードを５つ毎に外周セル内に配置する構成を示す。図１４−２は、平仮名と片仮名との間の切り替えを示す。図１４−３は、漢字コードを１０個毎に外周セル内に配置する構成を示す。図５３〜図５５は、他の言語の円の種々の実施形態を示す。図８〜図１４及び図５３〜図５５に示す実施形態において、例において「Ａ」〜「Ａｎ」は円の最上点から開始して反時計回り方向に構成されるが、実際は、項目は円上のいずれかの外周セルから開始して反時計回り方向に構成されてもよく、あるいは円上のいずれかの外周セルから開始して時計回り方向に構成されてもよい。
【００７６】
図１−１６に示す正方形は、大きい正方形及び小さい正方形を含む。図７は、図１−１６に示すような円の中央部分に構成された小さい正方形の一実施形態を示す。図４３は、図１−１６に示すような大きい正方形の一実施形態を示す。図７−１及び図４３−１の「Ａ」〜「Ａｎ」は図５−１の「Ａ」〜「Ａｎ」と同じ意味を有し、図５に示すいずれの形態であってもよい。図７−２は、単語及び数字の構成を示す。記事の作成等の文字入力用途において、単語はシングルクリックにより入力されてもよく、数字はダブルクリックにより入力されてもよい。電話の発呼等の数字入力用途の場合、数字はシングルクリックにより入力されてもよく、単語はダブルクリックにより入力されてもよい。図７−３は、図７−２の英語の一実施形態を示す。図７−４は、数字及び句読記号を配置する一実施形態を示す。図７−５は、句読記号の一実施形態を示す。図７−６は、漢字及び数字を配置する一実施形態を示す。この場合、漢字はシングルクリックにより直接入力されてもよく、数字はダブルクリックにより入力されてもよい。図７−７は、図７−６の一実施形態を示す。図７−８〜図７−１４は、音声記号を配置する実施形態を示す。図７−８は、英国英語の純粋母音の構成を示す。図７−９は、米国英語の純粋母音の構成を示す。図７−１０は、オーストラリア英語の純粋母音の構成を示す。図７−１１は、国際音声文字の純粋母音の構成を示す。図７−１２は、二重母音を有する国際音声文字の構成を示す。図７−１３は、国際音声文字のリンゴグラムの構成を示す。図７−１４は、数字及び音声文字の構成を示す。図７−１５及び図７−１８は、分類による構成を示す。図７−１６及び図７−１９は、アイコンの構成を示す。図７−１７は、分類及びアイコンの構成を示す。図４３−２は、図４３−１に示すような正方形における句読記号の構成を示す。図４３−３は、英語の正方形の構成を示す。図４３−４は、日本語の正方形の構成を示す。図４３−５は、アラビア語の正方形の構成を示す。ユーザは、多くの句読記号又は形態素を有する言語をクリックにより入力するために、円形インタフェースを図４３−１に示すような大きい正方形のレイアウトに切り替えられる。
【００７７】
図１５は、本発明において提供されるＭＭＩ上での基本スライド動作を列挙する。表１は、各基本スライド動作の操作方法及び機能の定義を説明する。
2011520204.tif 000010
【００７８】
本発明において提供されるＭＭＩ上での基本スライド動作を更に例示するため、図２５は、図１５に示す英語インタフェースのいくつかの実施形態を列挙する。
【００７９】
図１５−１は、円周上の外周セルから内側へのスライドを示す。この動作は、始点の外周セル内の形態素とスライド方向の延長線の方向に存在する外周セル内の形態素との組み合わせを入力するためのものである。図２５−１は、図１５−１の英語インタフェースの一実施形態を示す。図２５−１において、始点の外周セル「I」から内側へスライドし、スライド方向の延長線は外周セル「T」を指示する。ユーザが図２５−１に示すように僅かにスライドしてインタフェースから離れると、システムは単語「it」を入力し且つ単語の後ろにスペースを自動的に追加する。そのようなスライド動作は、従来のキー入力方法におけるキー 
ｉ」、「ｔ」及びスペースバーの３つの打鍵を置き換える。この手法は、非常に効率的であり且つ直感的である。
【００８０】
図１５−２は、円の内側から円周に向うスライドを示す。この動作は、スライド方向の延長線の方向に存在する外周セル内の形態素を入力するためのものである。図２５−２は、図１５−２の英語インタフェースの一実施形態を示す。図２５−２において、ユーザが円の内側から外周セル「A」に向けてスライドする場合、システムは「a」を入力し且つスペースを自動的に追加する。同様に、別のよく使用される文字「I」は同一の方法でスライドすることにより入力可能であり、システムは大文字を自動的に選択し且つ文字の後ろにスペースを追加する。
【００８１】
図１５−３に示す動作は、図１５−２に示す動作に類似するが、ユーザが始点において休止動作を行う点で異なる。従って、システムは、休止時間を検出し、休止時間に基づいて形態素列におけるユーザにより入力される形態素の正確な位置を判断する。例えば休止動作は、句における２番目の単語の入力を示してもよく、英語の文における２番目、３番目又はｎ番目の単語の入力を示してもよく、あるいは中国語の単語における２番目、３番目、４番目又はＮ番目の文字を示してもよい。ユーザが始点で休止しない場合、これはユーザが句又は文における最初の文字又は単語の入力を望んでいることを示す。システムが始点において第１の休止動作を検出する場合、システムは２番目の文字、文字又は単語を入力する。システムが始点において第２の休止動作を検出する場合、システムは３番目の文字、文字又は単語を入力する。同様に、システムが始点において第Ｎの休止動作を検出する場合、システムはＮ＋１番目の文字、文字又は単語を入力する。このように、単語、句、熟語又は文等の更に長い言語単位が効率的に入力される。図３７は、図１５−３の英語インタフェースの一実施形態を示す。図３７−１に示すように、英単語「good」の入力後、ユーザは文字「l」を入力する際に始点において休止動作を行う。それに応じて、システムはユーザが単語「good」の後ろに文字「l」から始まる単語の入力を望んでいると判断する。「good」から始まる一般的な句が「good luck」、「good morning」、「good night」、「good time」等を含むため、システムは「good luck」を直接入力し且つ句の後ろにスペース又は感嘆符を追加する。図３７−３に示すように、ユーザは文字「m」を入力する際に始点において休止動作を行う。それに応じて、システムは「good morning」を直接入力する。図３７−４に示すように、ユーザは文字「n」を入力する際に始点において休止動作を行う。それに応じて、システムは「good night」を直接入力する。同様に、更に長い言語単位を入力するために始点の代わりに開始ゾーンを使用するようにシステムを構成することにより、始点が位置するゾーンが同じ役割を果たすために使用されてもよい。始点に加えて、方向転換点における休止も更に長い言語単位の入力を示すように構成されてもよい。上述から明らかなように、本発明において提供されるＭＭＩを用いて単語、句又は文等の更に長い言語単位を入力する場合、単語における２番目の文字、あるいは句又は文における２番目の単語以降、単語全体、句全体又は文全体を入力する必要がない。その代わり、１つ又は２つの形態素が入力されると、システムは入力を自動的に予測し且つ達成できる。このように、ＭＭＩは高度な句入力及び文入力を実現する。中国語入力において本方法を用いる場合、２番目の文字以降、いくつかの構成要素又は字画を単に入力することにより文字が入力される。英語入力において、一般的な句又は文の２番目の単語以降、１つ又は２つの文字を単に入力することにより単語が入力される。図３７は、英語における高度な句入力の一実施形態を示す。高度な入力方法は一般的な文の入力にも適用可能である。単語、句又は文における形態素の位置を判断し且つユーザにより入力された内容の頻度を解析することにより、ユーザにより入力される内容は知的に予測される。
【００８２】
更に、方向転換点における休止時間も言語の長母音を判断するために使用可能である。例えばユーザは、単語「future」を入力する際に文字「u」の方向転換点において休止動作を行う。それに応じて、システムは休止動作を検出し、長母音がそこに存在すると判断する。長母音の判断に補助されることにより、場合によっては、ユーザは単語を入力するために単語の全ての文字を入力する必要がない。更に休止は、ユーザの長母音の発音の習慣と一致し、人間的である。
【００８３】
図１５−４は、円の内側から円周に向かい最終的に円周上の終点に到着するスライドを示す。この動作は、終点が存在する外周セル内の形態素から始まる一般的な単語、句及び文を入力するためのショートカットである。この動作により、高頻度の単語、句又は文が直接入力される。あるいは、ユーザが定義した単語、句又は文が入力される。図２５−３は、図１５−４の英語インタフェースの一実施形態を示す。図２５−３に示すように、ユーザは、円の内側から円周上の外周セル「A」に直接スライドする。これは、単語「and」か、システムにおける文字「a」から始まるデフォルトの単語か又はユーザが定義した単語の直接入力を示す。
【００８４】
図１５−５は、円周から外側へのスライドを示す。図１５−４に示すように、この動作は大文字、文字の異体字又は単語の高速入力を定義するか又は入力するためのものである。正確な機能は、言語の種類に応じて設定される。図２５−４は、図１５−４の一実施形態を示す。英語入力において、動作は大文字の「A」の入力として定義されてもよい。文字「A」の異体字を有する他の言語の場合、動作は異体字を入力するように設定されてもよい。例えばスペイン語入力において、動作は異体字
2011520204.tif 000011
を入力するように設定されてもよい。
【００８５】
図１５−６は、円周から外側へスライドした後に円周に戻るスライドを示す。この動作は、単語又は異体字の高速入力のために定義されてもよい。図２５−５は、図１５−５の一実施形態を示す。英語入力において、動作は、高頻度の単語「anything」の高速入力として定義されてもよい。文字「A」の異体字を有する他の言語の場合、動作は異体字を入力するように設定されてもよい。例えばスウェーデン語入力において、図１５−５に示す動作は
2011520204.tif 000012
を入力するように設定されてもよく、図１５−６に示す動作は
2011520204.tif 000013
を入力するように設定されてもよい。
【００８６】
図１５−７は、円周上の外周セルから隣接する外周セルに向けての時計回り方向のスライドを示す。この動作は、始点及び終点に存在する隣接する外周セル内の形態素の組み合わせを入力するためのものである。図１５−８に示す動作及び入力内容は図１５−７に示す動作及び入力内容と同様であるが、スライドが反時計回り方向である点が異なる。図２５−６は、図１５−７の英語入力の一実施形態を示す。２つの文字の他の組み合わせ「ig」及び「ih」が一般的な単語ではないため、これは単語「if」の入力を示す。図２５−７は、図１５−８の英語入力の一実施形態を示す。２つの文字の他の組み合わせ「fi」及び「gi」が一般的な単語ではないため、これは単語「Hi」の入力を示す。図１５−１、図１５−７及び図１５−８に示す２種類のスライド動作を介して、１文字又は２文字で構成される一般的な単語の９８％以上は単にスライド動作により直接入力され、入力された単語の後ろにスペースが自動的に追加される。文字キーの２つの打鍵及びスペースバーの１つの打鍵を必要とする従来のキー入力方法と比較して、この手法は２つの打鍵動作及び４つの指の上下動作を省略できる。１文字の単語及び２文字の単語の総累積度数は１９％を占める。すなわち、約２０％の割合で、ユーザは単にスライド動作により必要な内容を入力できる。図１５−４、図１５−５、図１５−６、図１５−９及び図１５−１０に示すような単語の高速入力方法を用いる場合、３文字以上で構成される多くの一般的な単語は単にスライド動作によりそれぞれ入力されるため、入力速度及び利便性は更に向上される。
【００８７】
図１５−９及び図１５−１０は、外周セルの範囲を越えない距離にわたる反時計回り方向又は時計回り方向の外周部のスライドを示す。複数の形態素を有する外周セルにおいて、この動作は形態素からの選択を示す。１つの形態素のみを有する外周セルにおいて、この動作は、形態素から始まる高頻度の単語の高速入力を示す。図２２は、操作方法を詳細に示す。図２２−１は、ｎ個の形態素を有する外周セルを示す。ＭＭＩのサイズ及び精度が充分である場合、ユーザは直接クリックによりｎ個の形態素のいずれかを入力できる。例えば抵抗膜式タッチインタフェースにおいて、ユーザはペンの先端でクリックすることにより形態素のいずれかを入力できる。図２２−２に示すように、静電容量式タッチインタフェースにおいて、ユーザが指で形態素Ａ１付近の位置を押下する場合、システムはＡ１の入力を指示する。ユーザが形態素Ａ１を入力したい場合、ユーザは指を持ち上げ、システムはＡ１を直接入力する。ユーザがＡ１を入力したくない場合、図２２−３に示すように、ユーザは反時計回り方向のスライドを続行し、システムはＡ２の入力を指示する。ユーザが形態素Ａ２を入力したい場合、ユーザは指を持ち上げ、それによりシステムはＡ２を直接入力する。ユーザがＡ２を入力したくない場合、図２２−４に示すように、ユーザは反時計回り方向のスライドを続行し、システムは、ユーザの指がＡｎに移動するまで、その指の移動に従って次の形態素を指示する。図２５−５に示すように、静電容量式タッチインタフェースにおいて、ユーザが形態素Ａｎ付近の位置を指で押下する場合、システムはＡｎの入力を指示する。ユーザがｎ番目の形態素を入力したい場合、ユーザは指を持ち上げ、システムはＡｎを直接入力する。しかし、ユーザがＡｎを入力したくない場合、ユーザは別の形態素を選択するために時計回り方向にスライドしてもよい。この手順は、図２２−３及び図２２−４に示す手順の逆である。
【００８８】
図１５−９及び図１５−１０に示す動作により、動作に関係する外周セルが１つの形態素のみを有する場合、単語のショートカットが形態素に基づいて定義されてもよく、あるいは形態素の異体字が定義されてもよい。例えば図８−３において、図１５−９及び図１５−１０に示す動作が「A」を有する外周セルに適用される。英語入力において、単語のショートカットが定義されてもよい。「A」を有する外周セルにおける反時計回り方向のスライドは高頻度の単語「an」の入力を示し、時計回り方向のスライドは高頻度の単語「any」の入力を示す。スウェーデン語入力において、「A」を有する外周セルにおける反時計回り方向のスライドは
2011520204.tif 000014
を入力するために定義されてもよく、時計回り方向のスライドは
2011520204.tif 000015
を入力するために定義されてもよい。
【００８９】
図１５−１１〜図１５−１４は、本発明において提供されるＭＭＩ上で複数の指を用いる操作のいくつかの実施形態を示す。図１５−１１は、２本の指を円周から内側へ引き寄せる動作を示す。これは、２つの始点に存在する２つの外周セル内の形態素の組み合わせの入力を示す。図１５−１２は、２本の指を円周から外側へ広げる動作を示す。これは、２つの延長線の方向に存在する２つの外周セル内の形態素の組み合わせの入力を示す。図２５−８は、図１５−１１の英語入力の一実施形態を示し、これは単語「it」の入力を示す。図２５−９は、図１５−１２の英語入力の一実施形態を示し、これは単語「it」の入力を示す。図１５−１３は、円周から円周に沿って反時計回り方向に２本の指でスライドする動作を示す。図１５−１４は、円周から円周に沿って時計回り方向に２本の指でスライドする動作を示す。図１５−１３及び図１５−１４に示す動作は、ＭＭＩの回転又は異なる言語体系へのＭＭＩの切り替えを示す。
【００９０】
更に高度な入力を達成するため、図１５−１〜図１５−１４に示す基本スライド動作の２つ以上が連続して実行されてもよい。図１５−１５は、図１５−９及び図１５−５に示すスライド動作の組み合わせを示す。これは、複数の形態素を有する外周セル内の形態素の大文字又は異体字の入力を示すか、あるいは単語の高速入力を示す。図２５−１０は、図１５−１５の一実施形態を示す。これは、英語入力における大文字「C」の入力を示すか、あるいはポルトガル語入力における異体字
2011520204.tif 000016
の入力を示す。
【００９１】
図１６−１は、単語の最初の文字以降の単語の全ての文字をスライド動作により入力するために図１５−２に示す基本スライド動作を連続して複数実行することを示す。あるいは、ユーザにより入力される単語がシステムのリアルタイム予測において指示される場合、ユーザはスライドを停止してインタフェースから離れてもよく、それによりシステムは単語を直接入力し且つ単語の後ろにスペース又は句読記号を自動的に追加する。このように、インタフェースから複数回離れる代わりに、ユーザはインタフェースに接触し且つインタフェース上で連続してスライドした後にインタフェースから離れることにより、入力を達成できる。この手法は、指又はペンの上下移動の繰り返しを減少する。更に、各単語の後ろにスペースが自動的に付加されるため、高頻度のスペースバーの打鍵は大幅に減少される。英語入力において、スペースバーは他のどんなキーよりはるかに頻繁に打鍵されるキーである。更に、本発明において提供されるＭＭＩがユーザの移動方向の延長線の方向に存在する外周セルをリアルタイムで検出するため、ユーザは実際に形態素に接触する前に目標の形態素を入力できる。システムは、ユーザが非常に短い距離を移動する度に距離及び方向の変化をリアルタイムで検出できる。それにより、システムは、ユーザにより入力される形態素をリアルタイムで予測し且つ知的に判定する。図１６に示すように、ユーザは、単に非常に短い距離を連続してスライドすることにより、非常に高速に、都合よく且つ直感的に入力を達成できる。図１６−２は、図１５−１及び図１５−２に示す動作の組み合わせを示す。図１６−３は、正方形インタフェース上での操作を概略的に示す図である。必要な入力内容を中空円上に構成することにより、本発明において提供されるＭＭＩは２つの利点を有する。第１に、ユーザのスライドの軌跡は円内に存在し、どんな形態素も通過しない。従って、スライド操作に干渉が生じないため、複雑な誤り訂正アルゴリズムが不要である。第２に、入力内容が円周上に構成されるため、ユーザにより指示された外周セルは常に一意であり、予測及び判断するのに更に効率的である。従って、本発明の技術方式は、スライドの軌跡が形態素を通過し且つ方向転換点に存在する形態素を計算する必要がある他のどんな技術方式より優れており、あるいは延長線により指示された外周セルが一意である他のどんな技術方式より優れている。
【００９２】
図２７は、図１６の英語インタフェースの実施形態を示す。図２７−１及び図２７−２は、図１６−１のインタフェースの実施形態を示し、図２７−３及び図２７−４は、図１６−２のインタフェースの実施形態を示す。始点（円周上又は円周内）の位置は、入力される単語の長さを判断するために更に使用されてもよい。例えば、システムは以下のように構成されてもよい。すなわち、始点が円周上に存在する場合は３文字以下で構成される単語を入力し、始点が円周内に存在する場合は４文字以上で構成される単語を入力する。あるいは、始点が円周上に存在する場合は４文字以下で構成される単語を入力し、始点が円内に存在する場合は５文字以上で構成される単語を入力する。あるいは、図４に示すように、スライドの始点がゾーン１内に存在する場合は３文字以下で構成される単語を入力し、スライドの始点がゾーン２内に存在する場合は３〜４文字で構成される単語を入力し、スライドの始点がゾーン３内に存在する場合は５〜６文字で構成される単語を入力し、スライドの始点がゾーン４内に存在する場合は７文字以上で構成される単語を入力する。単語の長さの判断により補助されることにより、システムの予測は更に正確になる。
【００９３】
図２７は、英単語「they」の入力を示す。単語「they」の最初の文字が別個の外周セル内に配置される「t」であるため、ユーザは、外周セル「T」に向けてスライドするか又は「T」を有する外周セルを押下することにより「t」を直接入力できる。ユーザの要求及び習慣に従って、システムは、ユーザが外周セル「T」を指示する場合に「t」を直接入力し且つ異なる表示を用いてユーザにフィードバックするように設定されてもよい。あるいは、システムは、ユーザが「T」を指示していることを示すために、最初に異なる方法で外周セル「T」を表示してもよい。ユーザがこの方向に向けて移動する場合、システムは「t」の入力を確定し、異なる表示を用いてユーザにフィードバックを提供する。第１の方法を用いる場合、システムが内容を直接入力するため、入力速度は速い。第２の方法を用いる場合、システムが最初にユーザに対して異なる表示を指示するため、入力速度は遅い。しかし、この方法は誤入力を回避する。ユーザは、必要に応じていずれかの方法を選択できる。あるいは、ユーザは、最初の形態素が存在する外周セルから２番目の形態素が存在する外周セルに向けて直接スライドしてもよい。図２７−３及び図２７−４に示すように、ユーザは、最初の形態素である「T」を有する外周セルから２番目の形態素が存在する「FGH」を有する外周セルに向けて直接スライドしてもよい。この方法による入力速度は更に速い。
【００９４】
最初の形態素が入力された後、ユーザは、後続の各形態素に対する外周セルに向けて連続して直接スライド（線引き）してもよく、あるいは形態素を組み合わせた入力を得るために後続の各形態素に対する外周セル内を連続して押下してもよい。図５２のステップＡ００に示すように、最後の形態素が入力されると、ユーザは指又は入力ペンを持ち上げてもよい。図２７は、ステップＡ００における英単語「they」の入力を示す。「they」の２番目の形態素から最後の形態素まで（「hey」）、ユーザは連続して、文字「h」が存在する外周セル「FGH」に向けてスライドし、文字「e」が存在する外周セル「e」に向けてスライドし且つ文字「y」が存在する外周セル「UVWXYZ」に向けてスライドしてもよい。図２７−１において、連続する線は実際のスライドの軌跡を表し、破線はユーザにより指示された方向を表す。図２７−２において、ユーザの実際の入力の軌跡のみを表示する。読者が理解しやすいように、連続する線の軌跡を更に長い線で示す。しかし、実際は、ユーザが非常に短い距離にわたりスライドするか又は非常に弱い力を加えると、システムはユーザの移動方向を判断し且つ正確な内容を入力できる。図２７に示すように、ユーザが「they」を入力する場合、ユーザは実際は４つの外周セル「T」、「FGH」、「E」及び「UVWXYZ」を連続して選択する。４つの外周セル内の形態素の組み合わせは、「they」、「theu」、「thev」、「thew」、「thex」、「thez」、「tgeu」、「tgev」、「tgew」、「tgex」、「tgey」、「tgez」、「tfeu」、「tfev」、「tfew」、「tfex」、「tfey」及び「tfez」を含む全部で１８個存在する。このうち、「they」及び「thew」のみが有意味の単語である。図５２のフローチャートのステップＡ０１にこの処理を示す。可能な組み合わせが２つのみ存在し且つ単語「they」は高頻度の単語であるが「thew」は低頻度の単語であるため、システムは、高頻度の単語「they」を直接入力し且つスペースを自動的に追加し、単語「they」の下に異なる方法（異なる色、異なるフォント、異なる背景等）で単語「thew」を表示する。図２７−５は、ユーザがスライドにより直接入力した後のシステムの表示を示す。図５２のフローチャートのステップＡ０３にこの処理を示す。ユーザが「they」を入力したい場合、ユーザは次の単語の入力を直接続行してもよい。ユーザがＭＭＩに接触し且つ次の単語を入力し始めると、異なる方法で表示された単語「thew」は自動的に消滅する。図５２のフローチャートのステップＡ５１にこの処理を示す。ユーザが高頻度の単語「they」ではなく低頻度の単語「thew」を入力したい場合、図２８−２に示すように、ユーザはスペースバー又は確定するための他の専用キーを押下してもよい。その場合、システムは単語「thew」を直接入力し且つ単語の後ろにスペースを自動的に追加する。図５２のフローチャートのステップＡ５２にこの処理を示す。図２７−６に示すように、ユーザが複数の外周セルから形態素を連続して入力した後、いくつかの単語のみが外周セル内の形態素の全ての組み合わせから判定される場合、ユーザが次の形態素の入力を続行するか否かに関わらず、システムは円形ＭＭＩ上にそれら可能な組み合わせを直接表示する。その場合、ユーザは、スペースバーを用いるか又はスライドすることにより選択する代わりに、所期の単語を選択するためにインタフェース上で方向を直接回転してもよい。この手法は、ユーザの眼及び指の移動を減少でき且つ入力速度を向上できる。あるいは、ユーザはこの機能を無効にすることを選択してもよい。図２７−２又は図２７−４に示すように、外周セル「T」、「FGH」、「E」及び「UVWXYZ」を選択後、ユーザがインタフェースから離れて入力を終了すると決めた場合、可能な組み合わせは「they」及び「thew」の２つのみである。ユーザが入力を続行すると決めた場合、可能な組み合わせは「theurgist」、「theurgy」、「thewless」、「thews」及び「thewy」の５つのみである。すなわち、ユーザが４つの外周セル「T」、「FGH」、「E」及び「UVWXYZ」を入力後、ユーザが入力を続行するか否かに関わらず、可能な組み合わせは全部で７つのみである。更に、「theurgist」は「theurgy」の変異形であり、「thewless」、「thews」及び「thewy」は「thew」の変異形である。従って、図２７−６に示すように、システムは、ユーザが直接選択するために円上に「theurgy」、「they」及び「thew」を直接指示する。ユーザが「they」を入力したい場合、ユーザはインタフェースから指又は入力ペンを持ち上げて入力を直接終了してもよい。ユーザが「theurgy」を入力したい場合、図２７−７に示すように、ユーザは「theurgy」が存在する外周セルに向けて回転してもよい。ユーザが「thew」を入力したい場合、図２７−８に示すように、ユーザは「thew」が存在する外周セルに向けて回転してもよい。ユーザが「theurgy」又は「thew」の変異形を入力したい場合、図２７−７又は図２７−８に示すように、ユーザは対応する外周セルに向けて方向を変更し続けてもよい。
【００９５】
図２８−１は、２つの組み合わせのみが可能である場合のシステムの表示を示す。この場合、高頻度の組み合わせは直接入力されるが、低頻度の組み合わせは高頻度の組み合わせの下に異なる方法で表示される。図２８−２は、ユーザが低頻度の組み合わせを入力したい例を示す。この例において、ユーザがスペースバーのゾーンを押下する場合、システムは低頻度の組み合わせを入力する。
【００９６】
データベースと比較して、外周セル内の形態素の全ての組み合わせから１つの組み合わせのみが判定される場合、図５２のステップＡ０２に示すように、システムは組み合わせを直接入力し、ユーザは次の単語の入力を続行してもよい。
【００９７】
データベースと比較して、外周セル内の形態素の全ての組み合わせから判定された可能な組み合わせが３つ以上ある場合、図２８−３に示すように、２番目の高頻度の組み合わせが１番目の高頻度の組み合わせの下に表示され且つ３つ以上の組み合わせが存在することを示すための小さいプルダウン矢印が２番目の高頻度の組み合わせの下に表示される。ユーザが１番目の高頻度の組み合わせを入力したい場合、ユーザはステップＡ５１に示すように操作してもよい。ユーザが異なる方法で表示された２番目の高頻度の組み合わせを入力したい場合、ユーザはステップＡ５２に示すように操作してもよい。ユーザが２つの組み合わせ以外の別の組み合わせを入力したい場合、ユーザはスライドして、プルダウンダイアログボックス内の全ての可能な組み合わせから選択してもよい。図５２のフローチャートのステップＡ５３にこの処理を示す。図２８−４は、ユーザがスライドにより入力を選択することを示す。ユーザがスペースバーのゾーンから円上の位置に向けて下へスライドすると、図２８−５に示すように、システムは全ての可能な組み合わせを表示する。図２８−６は、ユーザが全ての可能な組み合わせから選択するために自身の指又は入力ペンを用いて上下へスライドする処理を示す。
【００９８】
初期設定により、本発明におけるＭＭＩは、ユーザの視界に対する妨げを最小限にするために１つの代替の単語を指示する。当然、本発明において提供されるＭＭＩは、２つの代替の単語を表示するか又は図２８−５に示すように全ての代替の単語を直接列挙するように設定されてもよい（図２８−５に示す表示との違いは、１番目の高頻度の単語が１行目に表示され且つ残りの単語が１行目の下に順次表示される点である。）。
【００９９】
図３は、円形フレームと正方形フレームとの組み合わせを示す。図３において標識付けされるように、ゾーン１、ゾーン２、ゾーン３及びゾーン４の４隅のゾーンが存在し、それらはバックスペースキー、エンターキー、キャプスロックキー及びスペースキーを含む４つの機能キーを構成するために使用されてもよい。図４２は、４隅のゾーンにおける４つの機能キーの構成を示す。対応する機能は、クリック、ダブルクリック又はスライドにより実現されてもよい。
【０１００】
図１７は４隅のゾーンにおけるスライド操作方法を示す。図１７−１は４隅の間の水平スライドを示す。図１７−２は４隅の間の垂直スライドを示す。図１７−３は４隅の間の斜めスライドを示す。図１７−４は隅内での水平スライドを示す。図１７−５は隅内での垂直スライドを示す。図１７−６及び図１７−７は隅内での斜めスライドを示す。
【０１０１】
４隅のゾーンにおけるスライド操作及びそれらの定義を表２に列挙する。
2011520204.tif 000017
2011520204.tif 000018
【０１０２】
表２に示す操作の定義はシステムの基準設定である。操作は必要に応じて他の機能を提供するように設計可能である。ユーザは、４つのゾーンのいずれか１つから開始して異なる方向に向けてスライドすることにより、例えば、システムにより指示された代替の単語、句又は文から選択してもよく、ユーザにより入力された単語、句又は文から選択してもよく、一般的な単語、句又は文から選択してもよく、入力インタフェース間で切り替えてもよく、Ｅｓｃキー、タブキー、カーソルキー（上、下、左、右）、ページアップキー、ページダウンキー、ホームキー及び終了キーの機能を実現してもよく、コピー、切り取り、貼り付け、削除、取り消し及び再実行等の編集機能を実現してもよく、前の単語の先頭文字又は全ての文字の大文字への変換、あるいは次の単語の先頭文字の大文字への変換を実現してもよく、前の単語又は文の直接削除、あるいは次の単語又は文の直接削除を実現してもよい。漢字入力インタフェースにおいて、隅のゾーン内でのクリックは簡体字中国語と繁体字中国語との間の高速切り替えを達成してもよく、隅のゾーン内でのスライドは手書き認識インタフェースへの切り替えを達成してもよい。例えば、単語「How」の入力後、ユーザは図１７−１１に示すようなスライドにより、句「How many」、「How about」及び「How far」等から直接選択してもよい。ユーザが図１７−１３に示すようにスライドする場合、システムは、文の使用頻度に従って構成された単語「how」から始まる一般的な文「How are you!」、「How do you do?」及び「How old are your?」等を表示する。所期の文にスライドした場合、ユーザは指又は入力ペンを持ち上げ、システムは、対応する句読記号（疑問符又は感嘆符等）と共に文を自動的に入力し且つ文の後ろにスペースを自動的に追加する。更に、システムはユーザにより以前入力された文を記憶でき（このオプションはユーザにより無効にされてもよい）、それによりユーザは一般的な文及び自身が以前入力した文を都合よく入力できる。ユーザは、大量のテキストをより高速に且つ都合よく入力するために、句及び文の独自のデータベースを定義できる。そのような句及び文の入力モードにより、オプションボックスによる画面空間の占有及びユーザの視界の妨げ等の既存のソフトウェア製品における問題が回避される。更に、そのような手法は、高度な入力に関するユーザの経験を向上する。
【０１０３】
図１８は、本発明の外周セルに対する階層的漸進的指示機能を概略的に示す図である。図１８−１は、各レベルにおいて１つのオプションのみが指示される例を示す。図１８−２は、各レベルにおいて複数のオプションが指示される例を示す。図１９は、図１８の詳細な説明を示す図である。図１９−１に示すように、ユーザが外周セル「Ａ１」に向けてスライドする場合、システムは形態素Ａ１を入力する。その後、図１９−２に示すように、外周セル内に表示された内容は、形態素Ａ１から始まる最も一般的に使用される形態素の組み合わせＡ１−１にＡ１から変更される。ユーザがＡ１−１を入力したくない場合、ユーザは単に移動方向を変更してもよく、外周セル内に表示された形態素は元の「Ａ１」に復元する。ユーザがＡ１−１を入力したい場合、ユーザは元の移動方向に沿う移動を続行してもよく、システムはＡ１−１を入力する。その後、図１９−３に示すように、外周セルに表示された内容は、Ａ１−１から始まる最も一般的な形態素の組み合わせＡ１−１−１にＡ１−１から変更される。図１９−４及び図１９−５は同様の動作を示す。ユーザは、更に長い形態素の組み合わせＡ１−１−１−１を入力してもよく、最も長い可能な形態素の組み合わせが得られるまで続行してもよい。図２０は、図１９に示す中国語の字画入力インタフェースの一実施形態を示す。図２０−１に示すように、ユーザが
2011520204.tif 000019
を指示する場合、図２０−２に示すように、システムは水平な字画を入力し且つ外周セル内に「二」を自動的に表示する。ユーザが「二」以外の異なる字画を次に入力したい場合、ユーザは方向を変更してもよく、システムは表示を「二」に復元する。ユーザが「二」を入力したい場合、ユーザは移動を続行し、図２０−３に示すように、システムは「二」を入力し且つ表示を「三」に自動的に変更する。ユーザが「三」を入力したい場合、図２０−４に示すように、システムは表示を変更して
2011520204.tif 000020
を指示する。このように、ユーザは、
2011520204.tif 000021
、「彡」、「｜｜」及び「井」等の複数の構成要素を都合よく入力できる。図２１は、図１９に示すＭＭＩの別の実施形態を示す。図２１−１に示すように、ユーザが外周セル「I」を指示する場合、図２１−２に示すように、システムは「i」を入力し且つ「in」を自動的に指示する。ユーザが移動を続行して「in」を入力する場合、図２１−３に示すように、システムは「ing」を指示する。このように、ユーザは、英語の一般的な接頭辞、接尾辞及び高頻度の隣接する文字列を都合よく入力できる。また、ユーザは、中国語の音声体系の語尾母音「a」、「an」、「ang」、「e」、「en」、「eng」、「i」、「in」、「ing」「o」、「ong」、「u」、「un」及び
2011520204.tif 000022
を都合よく入力できる。これは、中国語のダブルピン入力を実現する単純な方法である。中国語の字画及び音声入力における階層的漸進的予測及び指示機能を以下の表に示す。
2011520204.tif 000023
【０１０４】
また、本方法は、語頭及び語尾に子音を有する体系、並びに中国語と同様の音声規則を有する他の言語に対して、本発明において提供されるＭＭＩ上で単純且つ高速な入力を実現するために使用されてもよい。ＭＭＩは、英語に類似するラテン語の入力中、アルファベットの異体字を指示する。また、図１９に示す方法は、アルファベットの異体字を階層的で指示するために使用されてもよい。図２１において、イタリア語が入力される場合、ユーザが文字「Ｉ」を入力後、システムはユーザが選択するために
2011520204.tif 000024
を自動的に指示する。
【０１０５】
図２３は、本発明において提供されるＭＭＩの外周セル拡大機能を示す。図２３−１は、外周セルの角度を変更せずに外周セル内の形態素を隣接する外周セルに拡張及び拡大する動作を示す。図２３−２は、各外周セルの角度が拡大されることを示す。図２４は、ユーザが選択するためにアイコン、分類及びフォルダ等を階層的に拡張するように設計された図２３−１に示すＭＭＩの階層的拡張の一実施形態を示す。図２４−４〜図２４−９は、漢字の円の実施形態を示す。図２４−４に示すように、ユーザが基本成分「金」を表す外周セルを指示する場合、図２４−５に示すように、外周セルは拡大され、ユーザが選択するために漢字の１０個の要素「金、木、水、火、土、甲、子、天、色、中」が表示される。ユーザが要素「甲（十干の最初の要素）」を選択する場合、図２４−６に示すように、システムは選択肢を再度拡張し、ユーザが選択するために十干の要素「甲、乙、丙、丁、戊、己、庚、辛、壬、癸」が表示される。図２４−５において、ユーザが要素「子」を選択する場合、図２４−７に示すように、システムはユーザが選択するために十二支の要素を表示する。図２４−５において、ユーザが要素「天」を選択する場合、図２４−８に示すように、システムはユーザが選択するために八卦における８つの要素を表示する。図２４−５において、ユーザが要素「色」を選択する場合、図２４−９に示すように、システムはユーザが選択するために９つの色成分を表示する。このように、ユーザは階層的に要素を選択することにより単語を組み立てられる。
【０１０６】
図３３は、図２３−１に示す英語インタフェースの一実施形態を示す。図３３−１に示すように、ユーザは文字「B」、「C」又は「D」を入力したい。３つの文字は別個の外周セルをそれぞれ占有するのではなく、外周セル内に共に配置される。ユーザが当該外周セルに向けて移動すると、図３２−２及び図３２−３に示すように、システムは外周セル「BCD」内の形態素を２つの隣接する外周セルに拡張し且つ２つの外周セル内の元の内容を置き換える。図２３−１において、拡張には３つのオプションが存在する。第１のオプションは、外周セル内の中央の形態素を中心として両側の外周セルへ拡張することである。図３３−２は、中央の文字「C」を中心とする両側への拡張を示す。第２のオプションは、ユーザの移動方向の僅かな差異に基づいて拡張することである。すなわち、現在の移動方向により指示された位置に最近接する形態素を中心として形態素の順序で両側に向けて拡張する。そのような拡張の利点は、ユーザが自身の移動方向の差異を感じられることであり、ユーザが方向感覚を養うのに好ましい。第３のオプションは、外周セル内の高頻度の形態素を中心として両側の隣接する外周セルに向けて拡張することである。
【０１０７】
図３４は、図３２−１の一実施形態を示す。図３４−１に示すように、ユーザが外周セル「BCD」を指示する場合、図３４−２に示すように、システムは外周セル内の高頻度の文字「D」を中心として両側に向けて拡張する。図３４−３に示すように、ユーザが文字「D」を入力したい場合、ユーザは現在の移動方向での移動を続行し、システムは「D」の入力を確定する。しかし、ユーザが文字「D」ではなく文字「C」を入力したい場合、図３４−４に示すように、ユーザは移動方向を変更し、システムは新しい形態素を指示するようにユーザに指示する。その後、ユーザの移動方向は拡張された新しい外周セル「C」を指示する。次に、図３４−５に示すように、ユーザは文字「C」の入力を確定するために移動方向での移動を続行してもよい。図３４−３又は図３４−５において、ユーザが所期の文字を入力後、図３４−６に示すように、システムは元のインタフェースに自動的に切り替える。あるいは、ユーザが所期の文字を入力後、システムは元のインタフェースに切り替えず、ユーザは文字「B」、「C」及び「D」のうちの文字を続けて入力する。ユーザが文字「B」、「C」及び「D」とは異なる別の文字を入力したい場合、ユーザは移動方向を戻るように移動し、システムは、ユーザが更に入力するために元のインタフェースに切り替える。
【０１０８】
図３６は、図２３−２に示す英語インタフェースの一実施形態を示す。図３６−１に示すように、ユーザがある方向に向けてスライドする場合、図３６−２に示すように、システムはその方向に存在する複数の隣接する外周セルの角度を拡大する。ユーザにより現在指示されている拡大セル「D」がユーザの所期のセルである場合、図３６−３に示すように、ユーザは「D」の入力を確定するために移動を続行してもよい。ユーザが「C」を入力したい場合、図３６−４及び図３６−５に示すように、ユーザは「Ｃ」を入力するために方向を変更してもよい。
【０１０９】
図３５は、最初の形態素を拡大することによる単語「kind」の入力を示す。単語「kind」の先頭文字「k」は、別個の外周セルを占有するのではなく外周セル「JKLMN」内に他の文字と共に配置される。図３５−１に示すように、ユーザは最初に外周セル「JKLMN」に向けて移動する。図３５−２に示すように、システムは「J、K、L、M、N」を隣接する外周セルに拡大する。図３５−３に示すように、ユーザは方向を変更し、新しい外周セル「K」を指示する。図３５−４に示すように、ユーザは移動方向での移動を続行し、文字「k」の入力を確定する。その後、図３５−５に示すように、システムは元の状態にインタフェースを復元する。次に、図３５−６に示すように、ユーザは残りの文字「ind」が存在する外周セル「I」、「JKLMN」及び「BCD」の間をスライドする。外周セル「k」、「I」、「JKLMN」及び「BCD」内の形態素の可能な組み合わせは全部で１５個存在する。それらは、「kijb」、「kijc」、「kijd」、「kikb」、「kikc」、「kikd」、「kilb」、「kilc」、「kild」、「kimb」、「kimc」、「kimd」、「kinb」、「kinc」及び「kind」である。これらのうち、単語「kind」のみが有意味である。従って、システムは単語「kind」を自動的に入力し、単語の後ろにスペースを自動的に追加する。
【０１１０】
図１８−２に示すように、ユーザが形態素の入力を確定すると、システムは、外周セル内の形態素から始まる複数の一般的で高頻度の形態素の組み合わせを表示できる。ユーザがそれら形態素の組み合わせのいずれも入力したくない場合、ユーザは、次の形態素を入力するために方向を直接変更できる。ユーザが望んでいる次の形態素の組み合わせが表示された形態素の組み合わせの中に存在する場合、ユーザは現在の移動方向での移動を続行し、システムは現在の外周セルを拡張及び拡大する。それにより、形態素の各組み合わせは拡大後の新しい外周セルを別個に占有する。ユーザは、新しい外周セルから形態素の組み合わせを選択できる。ユーザが形態素の組み合わせの入力を確定する場合、システムは、ユーザが選択するために形態素の組み合わせから始まる更に長い形態素の組み合わせを表示する。それにより、ユーザは外周セルを再度拡大することにより更に長い形態素の組み合わせを入力できる。この処理は、ユーザが所期の内容全体の入力を達成するまで周期的に順次実行されてもよい。ユーザは、階層的拡大機能を使用するか否か、各拡大レベルにおいて指示される形態素の組み合わせの数及び拡大レベルの最大数を定義できる。
【０１１１】
図３８は、図１８−２に示す英語インタフェースの一実施形態を示す。図３８−１に示すように、ユーザの移動方向は外周セル「T」を指示する。システムが文字「t」を入力後、図３８−２に示すように、外周セル「T」内の内容は、文字「t」から始まる３つの一般的な文字の組み合わせ「to」、「th」及び「tt」に変更される。３つの文字の組み合わせのいずれも入力したくない場合、ユーザは移動方向を変更してもよく、システムのインタフェースは元のインタフェースに復元する。その後、ユーザは他の文字の入力を続行できる。「to」、「th」及び「tt」のうちの文字の組み合わせを入力したい場合、ユーザは現在の移動方向での移動を続行し、図３８−３に示すように、システムは外周セルを拡張及び拡大し、それにより「to」、「th」及び「tt」は拡大後の新しい外周セルを別個に占有する。ユーザが「th」を入力したい場合、図３８−４に示すように、ユーザは元の移動方向での移動を続行し、「th」の入力を確定する。「to」を入力したい場合、ユーザは「to」を入力するために移動方向を変更してもよい。ユーザが「th」を入力後、図３８−５に示すように、外周セル「th」内の内容は「th」から始まる一般的な文字の組み合わせ（すなわち、「tha」、「the」、「thi」）に変更される。表示された文字の組み合わせのいずれも入力したくない場合、ユーザは移動方向を変更してもよい。「tha」、「the」及び「thi」のうちの文字の組み合わせを入力したい場合、図３８−６に示すように、ユーザは現在の移動方向での移動を続行し、「tha」、「the」及び「thi」は拡大されて拡大後の新しい外周セルを別個に占有する。図３８−７に示すように、ユーザは、「the」の入力を確定するために現在の移動方向での移動を続行してもよい。そのような階層的拡大処理は、周期的に順次実行可能である。ユーザは完全な単語の入力を達成すると、システムは、句、慣用句及び文等の更に長い形態素列を指示する。このように、ユーザは、単にスライドすることにより、高頻度の形態素の組み合わせ、単語、句、慣用句及び文等を高速入力できる。ユーザは、ある方向の直線に沿って単語、句又は文を高速入力することもできる。システムは、ユーザがある特定レベルの言語単位の入力を達成した後はそれ以上長い言語単位を指示しないように構成されてもよい。
【０１１２】
図１８は、英語入力において、的確な外周セルに依存して異なる内容が指示されることを示す。第１の外周セル及び第２の外周セル内の内容が入力される場合、指示機能は、ユーザが選択するために外周セル内の形態素から始まる一般的な接頭語又は文字列を指示する。第２の外周セル及び第３の外周セル内の内容が入力される場合、指示機能は、ユーザが選択するために外周セル内の形態素から始まる一般的な文字列を指示する。第３の外周セル及び更なる外周セル内の内容が入力される場合、指示機能は、ユーザが選択するために外周セル内の形態素から始まる一般的な接尾語又は文字列を指示する。例えばユーザが第１の外周セル「T」を入力すると、システムは最も一般的な先頭文字列「th」を指示する。ユーザが第２の外周セル「T」を入力する場合、システムは一般的な文字列「tt」、「ti」等を指示する。ユーザが第３の外周セル又は更なる外周セル「T」を入力する場合、システムは「tion」等の一般的な接尾語を指示する。単語における文字の位置に従って１つ又は複数のオプションを毎回指示する方法は、ユーザの入力速度を向上するだけでなく、多くの入力ソフトウェア製品において多くの単語オプションが指示ボックス内に指示されることによりユーザの視界及び思考が妨げられるという欠点も回避する。更に、本発明において提供されるスライド方法は、追加の単語選択キーを全く必要としない。ユーザは、直接選択するために移動を続行するか又は他のオプションを選択するために移動の方向を変更し、指を持ち上げることにより現在のオプションを入力できる。この手法は非常に利便性が高く且つ非常に効率的である。
【０１１３】
図３９は、日本語の仮名の円上で入力するための拡大の一実施形態を示す。図３９−１に示すように、ユーザが外周セル「あ い う え お」を指示する場合、図３９−２に示すように、システムは「あ」、「い」、「う」、「え」及び「お」を拡張する。
【０１１４】
本発明は、文字及び単語を判定する方法を提案する。本方法において、単語の最初の形態素は別個に入力され、単語の２番目の形態素から最後の形態素までは外周セル内の組み合わせで入力される。システムは、最初の形態素と後続の形態素との全ての可能な組み合わせを言語の文字データベース又は単語データベースと比較して、文字データベース又は単語データベース内の組み合わせを選択する。
【０１１５】
図２６は、英単語「kind」の入力を示す。最初の形態素はスライドにより直接入力されてもよい。図２６−１に示すように、文字「k」は外周セル内でスライドすることにより選択されてもよい。図２６−２に示すように、残りの形態素は外周セル内の組み合わせで入力される。上述のように、単語「kind」は外周セル「k」、「I」、「JKLMN」及び「BCD」の唯一の可能な組み合わせである。従って、システムは単語「kind」を直接入力する。
【０１１６】
図４は、円内のゾーンが複数のゾーンに分割されることを示す。各ゾーンは、句読記号等の形態素を収容するように設計されるだけでなく、ゾーン内の情報に基づいて言語の種類を判定するか、単語における形態素の位置を判定するか、あるいは複数の形態素を有する外周セルから形態素を選択するように設計される。図４−１は、円内のゾーンが左ゾーン及び右ゾーンに分割されることを示す。図４−２は、円内のゾーンが上ゾーン及び下ゾーンに分割されることを示す。図４−３は、円内のゾーンが４つのゾーンに分割されることを示す。図４−４は、円内のゾーンが６つのゾーンに分割されることを示す。図４−５は、円内のゾーンが１０個のゾーンに分割されることを示す。図４−６は、円内のゾーンが５つのゾーンに分割されることを示す。
【０１１７】
図４２−１６に示すように、２つの言語に対する円が１つに入れ子にされるか又は同一言語に対する円の２つの形態が１つに入れ子にされる場合、ユーザにより入力される言語の種類は、入力操作の始点の位置に従って自動的に識別されてもよい。例えば、始点が図４−１及び図４−２に示すゾーン１内に存在する場合、これは外側の円上の言語の入力を示し、始点がゾーン２内に存在する場合、これは内側の円上の言語の入力を示す。あるいは、始点がゾーン１内に存在する場合、これは内側の円上の言語の入力を示し、始点がゾーン２内に存在する場合、これは外側の円上の言語の入力を示す。ユーザは、ゾーン１及びゾーン２に対応する言語の種類を自身で定義できる。ユーザは、ゾーン１及びゾーン２に対応する同一言語の異なる形態を自身で定義できる。図４２−１６に示すように、ユーザは、外側の円を英語入力に対するものと定義し且つ内側の円を中国語入力に対するものと定義してもよい。あるいは、ユーザは、外側の円を中国語の音声入力に対するものと定義し且つ内側の円を音声／文字パターン混合入力に対するものとして定義してもよい。
【０１１８】
１つの言語のみを使用する場合、ゾーン１及びゾーン２は、文字又は単語間の境界を識別するために使用されてもよい。例えば、始点がゾーン１内に存在する場合、これは単語の１番目の文字又は句の１番目の単語の入力を示し、始点がゾーン２内に存在する場合、これは単語の２番目の文字又は句の２番目の単語の入力を示す。図４−３及び図４−４において、円内のゾーンは４つのゾーンに分割され、それらは言語の種類、並びに各言語における文字及び単語間の境界を識別するために使用されてもよい。
【０１１９】
例えば、英単語「how」の入力後、ユーザは入力ペンを持ち上げ、次にそれを下部分（ゾーン２）に置くことにより、「how」から始まる句を入力することを示す。「how」から始まる一般的な句は、「how far」、「how about」、「how now」、「how many」及び「how to」等を含む。しかし、ユーザが下部分（ゾーン２）内で文字「m」を指示する場合、システムは「how many」を自動的に入力する。ユーザが下部分（ゾーン２）内で文字「a」を指示する場合、システムは「how about」を自動的に入力する。
【０１２０】
図４に示すゾーン情報は、複数の形態素を有する外周セルから特定の形態素を選択するためにも使用可能である。ユーザが特定のゾーンから開始して複数の形態素を有する外周セルに向けてスライドする場合、これは外周セルのゾーン番号に対応する形態素の入力を示す。
【０１２１】
図２９−１は、図４−４の一実施形態を示す。図２９−２は、１、２及び３と標識付けられた第１のゾーン、第２のゾーン及び第３のゾーンの各々から外周セル「BCD」へのスライドの一実施形態を示す。外周セル「BCD」において、第１の形態素は「B」であり、第２の形態素は「C」であり、第３の形態素は「D」である。従って、図２９−３に示すように、ゾーン１から外周セル「BCD」に向うスライドは第１の形態素「B」の入力を示す。図２９−４に示すように、ゾーン２から外周セル「BCD」に向うスライドは第２の形態素「C」の入力を示す。図２９−５に示すように、ゾーン３から外周セル「BCD」に向うスライドは第３の形態素「D」の入力を示す。図２９−６は、始点の位置の識別に基づく方法を用いて文字「U」、「V」、「W」、「X」、「Y」及び「Z」を入力する処理を示す。ユーザが特定のゾーンから外周セルに向けてスライドする場合、システムは、外周セル内のゾーン番号に対応する形態素を直接指示できる。例えば図２９−７に示すように、ゾ−ン３から外周セル「UVWXYZ」に向けてのスライドは、外周セル内の第３の形態素「W」の入力を示す。従って、システムは「W」を直接指示する。このように、ユーザは入力される形態素が分かるため、誤入力が回避され且つユーザの負担が軽減する。
【０１２２】
図２９−８〜図２９−１２は、始点の位置の識別に基づく方法を用いて「kind」を入力する処理を示す。図２９−８に示すように、ゾーン２から外周セル「JKLMN」に向うスライドは文字「k」の入力を示す。従って、図２９−９に示す例のように、システムはユーザに対して文字「k」を指示する。次にユーザは、図２９−１０、図２９−１１及び図２９−１２に示すように、残りの文字「ind」が存在する外周セル「I」、「JKLMN」及び「BCD」の間をスライドする。上述のように、単語「kind」は、外周セル「k」、「I」、「JKLMN」及び「BCD」の間の唯一の可能な組み合わせである。従って、システムは単語「kind」を直接入力する。
【０１２３】
図３０−１は、円内のゾーンが円の中心を通過する線により部分ゾーンに分割されることを示す。外周セルに直接対向する部分ゾーンは、外周セル内の中央の形態素に対応する。両側の隣接する部分ゾーンは、外周セル内の対応する側に存在する形態素に対応する。図３０−２は、外周セル「BCD」に対向する部分ゾーンを示す。外周セル「BCD」に直接対向する部分ゾーンからのスライドは、外周セル「BCD」内の中央の文字「C」の入力を示す。外周セル「BCD」の一方側の隣接する部分ゾーンからのスライドは、対応する側に存在する文字「B」又は「D」の入力を示す。図３０−３は、部分ゾーンを使用することにより文字「F」、「G」及び「H」を入力する一実施形態を示す。図３０−４は、部分ゾーンを使用することにより文字「J」、「K」、「L」、「M」及び「N」を入力する一実施形態を示す。図３０−５は、部分ゾーンを使用することにより文字「P」、「Q」、「R」、「S」及び「T」を入力する一実施形態を示す。図３０−６は、部分ゾーンを使用することにより文字「V」、「W」、「X」、「Y」及び「Z」を入力する一実施形態を示す。図３０−７は、ユーザが文字「W」の入力を望んでいる場合、システムがユーザに対して文字「W」を直接指示することを示す。
【０１２４】
図３０−８〜図３０−１２は、部分ゾーン内の始点の位置の識別に基づく方法を用いて単語「kind」を入力する処理を示す。最初に、図３０−８に示すように、ユーザは、文字「k」に対応する部分ゾーンから外周セル「JKLMN」に向けてスライドする。これは文字「k」の入力を示す。システムは、図３０−９に示す例のように、ユーザに対して文字「k」を指示する。次に、図３０−１０、図３０−１１及び図３０−１２に示すように、ユーザは残りの文字「ind」が存在する外周セル「I」、「JKLMN」及び「BCD」の間をスライドする。上述のように、全ての可能な組み合わせの中で単語「kind」のみが有意味である。従って、システムは単語「kind」を自動的に入力し且つ単語の後ろにスペースを自動的に追加する。
【０１２５】
図３１−１は、始点の位置に基づいて中国語の音声体系の語頭子音を選択及び入力する一実施形態を示す。図３１−２は、中国語の音声体系の語尾子音を選択及び入力する実施形態を示す。図３１−３は、始点の位置に基づいて音声表記を選択及び入力する実施形態を示す。図３１−４は、広東語の実施形態を示す。
【０１２６】
図３２は、始点の位置に基づいて日本語の仮名「あ」、「い」、「う」、「え」、「お」を選択及び入力する一実施形態を示す。
【０１２７】
図４に示すゾーン情報は、入力内容の意味の分類の判断を補助するためにも使用可能である。例えば図４−５に示すように、ゾーン１からのスライドは芸術及び文学に関する単語の入力を示し、ゾーン２からのスライドは衛生及び医学に関する単語の入力を示し、ゾーン３からのスライドは歴史に関する単語の入力を示し、ゾーン４からのスライドは日常生活に関する単語の入力を示し、ゾーン５からのスライドは哲学及び宗教に関する単語の入力を示し、ゾーン６からのスライドは科学及び数学に関する単語の入力を示し、ゾーン７からのスライドは社会科学に関する単語の入力を示し、ゾーン８からのスライドはスポーツ及び娯楽に関する単語の入力を示し、ゾーン９からのスライドは科学技術に関する単語の入力を示し、ゾーン１０からのスライドは地球及び地理学に関する単語の入力を示す。
【０１２８】
図４に示すゾーン情報は、入力内容の品詞の判断を補助するためにも使用可能である。例えば図４−３において、始点としてゾーン１を使用することは名詞の入力を示し、始点としてゾーン２を使用することは動詞の入力を示し、始点としてゾーン３を使用することは形容詞の入力を示し、始点としてゾーン４を使用することは前置詞の入力を示す。
【０１２９】
図４に示すゾーン情報は、入力される漢字の構造情報の判断を補助するためにも使用可能である。例えば図４−５において、始点としてゾーン１を使用することは漢字の上部分の入力を示し、始点としてゾーン２を使用することは漢字の左部分の入力を示し、始点としてゾーン３を使用することは漢字の下部分の入力を示し、始点としてゾーン４を使用することは漢字の他の部分の入力を示し、始点としてゾーン５を使用することは漢字の右部分の入力を示す。例えば図４２−１０において、外周セル「点（点の字画）」に向かう始点としてゾーン「〜」を使用し且つ２つの点を選択することは、文字
2011520204.tif 000025
の上部分の２つの点の入力を示す。ゾーン「，」から外周セル「点（点の字画）」に向けてスライドし且つ２つの点を選択することは、冫の入力を示す。ゾーン「！」から外周セル「点（点の字画）」に向けてスライドし且つ２つの点を選択することは、文字「只」の末広がりの下部分の入力を示す。本方法は、韓国語等の漢字と同様の２次元空間情報を含む文字を有する言語の種類に対しても適用可能である。
【０１３０】
図４０は、本発明において発音を利用することによる英単語入力用途の一実施形態を示す図である。図４０に示すように、英語の音声子音は円上に構成され、英語の音声母音は円内に構成される。図４０−１は、線の接続による単語「there」の入力を示す。このような単音節語は、直線又は方向転換点を有する線により都合よく入力可能である。この手法は、ユーザの発音習慣に一致し且つ単語の誤綴りの問題も解決するため、誤綴りを減少できる。図４０−２及び図４０−３は、線の接続による単語「tomorrow」の入力を示す。図４０−３は、本発明において提供されるＭＭＩを使用する単語のアクセント記号の入力を示す。図４０−３に示すように、破線の方向転換点が円の外側に存在する場合、これは方向転換点に存在する音声文字がアクセントであることを示す。例えば、「tomorrow」のアクセントが音節「mo」に存在するため、線は文字「m」において円を越える。アクセント記号を用いて区別することにより、単語は言語の特徴に従って区別されるため、認識率が向上し且つ対応する音声文字の入力が減少する。
【０１３１】
図４１は、数字の円の操作の実施形態を示す。図４１−１は、ダイヤル呼出しに対するインタフェースを示す。図４１−２は、数字入力に対するインタフェースを示す。図４１−３は、「9530」の連続入力の処理を示す。図４１−４において、ユーザは円周上の数字「5」から数字「0」に向けてスライドする。これは５個の「0」の入力を示す。これは図１５−１に示す数字の円の特定用途であり、すなわち円周から円の内側へ向けての内向きのスライドである。これは入力される数字の数を示す。この機能は、銀行員、会計士及び大量の数字を処理することが多い技術者にとって非常に有用である。図４１−５は、図１５−９に示す数字の円の特定用途である電話番号の入力を示す。例えば、数字「2」上での反時計回り方向のスライドは母親の電話番号の入力を示し、数字「6」上での時計回り方向のスライドは同僚のZhang氏の電話番号の入力を示す。図４１−６は、緊急電話番号「911」の入力を示す。
【０１３２】
図１に示すＭＭＩの２つ以上の基本要素は、種々の方法で組み合わせ可能である。図２は、いくつかの組み合わせの実施形態を示す。図２−１は、「正方形内に円が存在する」組み合わせを示す。図２−２は、「円内に正方形が存在する」組み合わせを示す。図２−３は、図２−１と図２−２との組み合わせを示す。図２−４は、「円内に正方形が存在する」組み合わせを示す。図２−５は、「正方形内に正方形が存在する」組み合わせを示す。図２−６は、「正方形内に円が存在し且つ円内により小さい正方形が存在する」組み合わせを示す。図２−７及び図２−８は、２つの円を入れ子にした組み合わせを示す。図２−９は、３つの円を入れ子にした組み合わせを示す。
【０１３３】
図４２は、図２に示す言語インタフェースのいくつかの実施形態を示す。図４２−１、図４２−２及び図４２−３は、円内に６つの句読記号を有する英語インタフェースを示す。図４２−４は、円内に１０個の数字の正方形を有する英語の円の一実施形態を示す。図４２−５は、２つの入れ子の円を示す。図４２−５において、外側の円は英字に対し、内側の円は数字に対する。図４２−６は、１０個の対角区画に分割された円の一実施形態を示す。図４２−７は、５つの対角区画に分割された円の一実施形態を示す。図４２−８は、外側の円が字画に対し且つ内側の円が一般的な漢字に対する一実施形態を示す。１０個の一般的な漢字は、内側の円上の外周セル内をクリックすることにより直接入力可能である。
2011520204.tif 000026
等の一般的な中国語の単語は、内側の円上の漢字の対の間に直接線を引くことにより入力可能である。本方法を用いることにより、累積度数が１０％より高い１０〜１２個の高頻度の漢字が直接提供され且つ単にクリックすることによりこれらを入力できる。すなわち、１０％の割合で、ユーザは単にシングルクリックにより漢字を入力できる。これらの文字は、それらの間に直接線を引くことにより対で入力可能である。図４２−９は、字画に対する外側の円とその中の漢字に対する小さい正方形との組み合わせを示す。図４２−１０は、５つの字画に対応する外側の円と一般的な漢字に対応する内側の円との組み合わせを示す。図４２−１１は、構成要素及び字画に対する外側の円と一般的な漢字に対する内側の円との組み合わせを示す。図４２−１２は、中国語の音声記号に対する外側の円と一般的な漢字に対する内側の円との組み合わせを示す。図４２−１３は、文字に対する外側の円と音声文字に対する内側の円との組み合わせを示す。図４２−１４は、音声子音に対する外側の円と音声母音に対する内側の円との組み合わせを示す。図４２−１５は、数字に対する外側の円と文字に対する内側の円との組み合わせを示す。図４２−１６は、音声記号に対する外側の円と構成要素及び字画に対する内側の円との組み合わせを示す。図４２−１７は、音声記号に対する外側の円と字画に対する内側の円との組み合わせを示す。図４２−１８及び図４２−１９は、音声記号に対する外側の円と字画に対する内側のゾーンとの組み合わせを示す。図４２−１８及び図４２−１９に示すインタフェースを用いる場合、音声及び文字パターン入力方法が始点の位置に基づいて実現される。音声入力方法、文字パターン入力方法及び音声／文字パターン入力方法は、同一インタフェース上で提供可能である。例えば、字画から始まり且つ発音を有する文字を入力するには、字画を無視して純粋な音声入力を使用するか、５つの字画を直接クリックすることにより入力するか、あるいは５つの字画のゾーンから音声ゾーンに向けてスライドすることにより入力する。例えば図４２−１８及び図４２−１９において、字画
2011520204.tif 000027
のゾーンからセル「A」に向けてスライドすることにより、字画
2011520204.tif 000028
から始まる文字「阿」を入力できる。字画「｜」のゾーンからセル「A」に向けてスライドすることにより、「｜」から始まる文字
2011520204.tif 000029
を入力できる。図４２−２０は、円内に５つの音調を有する音声記号に対する円を示す。これは、平声、上声、去声、入声及び軽声を入力するために使用可能である。１つの入力方法は、始点の音調ゾーンに従って音調の音声記号を直接入力することである。他の方法は、音声記号の入力後に音調を選択することである。例えば、平声のゾーンから開始して音声記号「ba」を入力する場合、文字「八」が好ましい。去声のゾーンから開始して音声記号「ba」を入力する場合、文字「把」が好ましい。音調体系を有する他の言語は、漢字の入力と同様の方法で入力可能である。図４２−２１は、２つの文字の円を入れ子にした組み合わせを示す。図４２−８〜図４２−１２に示す漢字の円において、左上隅のゾーン内のキャプスロックキーは、簡体字中国語と繁体字中国語とを高速で切り替えるために使用される。
【０１３４】
図４４に示すように、本発明において提供されるＭＭＩは、複数の指を用いる同時操作をサポートする。図４４−１は、２本の指を用いる同時操作を示す。図４４−２は、３本の指を用いる同時操作を示す。図４４−３は、４本の指を用いる同時操作を示す。図４５は、例えば２本の指を用いる種々の多点接触制御操作を示す。操作の動作及びそれらの定義を表３に列挙する。
2011520204.tif 000030
【０１３５】
２本の指で同時に円内をシングルクリックすることは、構文キーの選択を示す。３本の指で同時に円内をシングルクリックすることは、スペースキーの選択を示す。あるいは、２本の指で同時に円内をシングルクリックすることは、スペースキーの選択を示し、３本の指で同時に円内をシングルクリックすることは、エンターキーの選択を示す。
【０１３６】
ユーザは、複数の指を使用して言語インタフェース間を高速に切り替えられる。例えば、２本の指で左へスライドすることは数字の円への切り替えを示し、２本の指で右へスライドすることは句読記号の正方形への切り替えを示し、３本の指で左へスライドすることは中国語の構成要素の円への切り替えを示し、３本の指で右へスライドすることは表現のアイコンを入力するためのアイコンの正方形への切り替えを示す。
【０１３７】
指でインタフェース上をクリックすることにより、スペースキー、エンターキー及び構文キーの機能を実現できる。指がインタフェース上で異なる方向に向けてスライドする場合、インタフェースはそれに対応して切り替えられる。インタフェース上で異なる方向に向けて指をスライドすることにより、キャプスロックキー、バックスペースキー及びエンターキーの機能を実現できる。インタフェース上で異なる方向に向けて指をスライドすることにより、代替の文字又は単語からの選択及び最後に入力した内容の選択を実現できる。インタフェース上で異なる方向に向けて指をスライドすることにより、単語の時制の選択を実現できる。
【０１３８】
構文キーは本発明のＭＭＩの円の上部に追加される。あるいは、２本の指で円内をシングルクリックすることは構文キーの選択を示す。ユーザが単語を入力後、単語が名詞に属する場合、構文キーのシングルクリックにより名詞の複数形が自動的に入力されてもよい。単語が形容詞に属する場合、構文キーのシングルクリックにより形容詞の比較級が自動的に入力されてもよく、構文キーのダブルクリックにより形容詞の最上級が自動的に入力されてもよい。構文キーに関する他の動作を以下の表に示す（空白のセル内の機能はこれから定義される）。表は、特定の言語の構文に従って設計されてもよい。
2011520204.tif 000031
【０１３９】
図５１に示すように、ユーザが動詞を入力する場合、ユーザは構文キーのシングルクリックにより動詞の時制を選択してもよい。動詞の時制は、時計回り方向又は反時計回り方向に複数の指でスライドすることにより選択されてもよい。上記の実施形態から明らかなように、構文キーは、ユーザの構文の誤りを減少するために単語の異なる時制に従って同時に使用されてもよく、ユーザが構文を明確に又は正確に思い出せないか、あるいは正確な構文を知らない状況で特に有用である。
【０１４０】
本発明におけるＭＭＩは、入力の効率を向上するために１つの円ではなく２つ以上の円を用いて動作してもよい。図４６は、複数の円を用いる動作の構成を示す。図４６−１は２つの円の構成を示す。図４６−４に示すように、一方の円はマウス状態に切り替えられてもよく、図４６−５に示すように、他方の円は手書き認識状態に切り替えられてもよい。また、ＭＭＩは、図４６−３に示すように、マウスとして使用される中央の円及びその両側の２つの円を含む３つの円を用いて動作してもよい。図４６−３、図４６−４及び図４６−５において、円の間及び周辺の空間は、図４６−２に示すようにスライド操作に対するゾーンとして使用可能である。
【０１４１】
図４７は、図４６の実施形態を示す。図４７−１、図４７−２及び図４７−３は、入力に対して１次円を使用し且つ拡張及び拡大に対して２次円を使用する構成を示す。図４７−１に示すように、ユーザが１次円上で外周セル「UVWXYZ」に向けてスライドする場合、外周セル内の形態素は２次円(vice circle)上で拡張される。ユーザが文字「W」を入力すると、２次円は拡張して指示する。図４７−３は、単語「where」を入力する例を示す。
【０１４２】
図４７−４は、２つの１次円を同時に使用する構成を示す。単語が左側の１次円を用いて入力される場合、次の単語は右側の１次円を用いて同時に入力可能であるため、並行入力が実現され、入力速度が向上する。
【０１４３】
図４８は、２つの円に文字を分割する一実施形態を示す。図４８に示す構成に加えて、左側の円に文字A〜Nを割り当て且つ右側の円に文字O〜Zを割り当ててもよい。
【０１４４】
本発明において提供されるＭＭＩは、１次円、補助円、手書き入力インタフェース、作図インタフェース及びマウスインタフェースの間で切り替え可能である。
【０１４５】
本発明において提供される入力方法は、指のスライド方向及び入力ペンのスライド方向に加えて加圧方向及び振動方向等のユーザの移動方向をリアルタイムに検出する。図４９−１は、スポット入力デバイスにおける本発明の適用例を示す。図４９−１に示すデバイスは、圧力を検知できるスポット入力デバイスである。システムは、加圧方向に基づいてユーザの入力を自動的に予測する。ユーザは、圧力の大きさ及び方向を制御及び調整することにより、情報を都合よく入力できる。そのようなＭＭＩは、移動電話、ＭＩＤ、ＵＭＰＣ及びＰＤＡ等を含むポータブル電気デバイス等の小型デバイスにおいて情報を高速入力するために使用されてもよい。図４９−２は、入力速度を向上するために両手で同時に操作可能な２つのスポット入力ＭＭＩを使用する構成を示す。あるいは、一方のＭＭＩが入力のために使用され且つ他方のＭＭＩがマウスとして使用されてもよい。情報入力が不要な場合、双方のＭＭＩは、例えば作図又はゲームの実行等のためにマウスとして使用されてもよい。図４９−３は、親指タッチパッドにおける本発明のＭＭＩの適用例を示す。図４９−４は、ポイントスティック又はジョイスティックにおけるＭＭＩの適用例を示す。
【０１４６】
図５０に示すように、本発明は、アイコンを使用した入力方法又は分類を使用した入力方法を更に提供できる。ユーザが特定の意味を有するアイコンか又は特定の意味を有する分類をクリックする場合、意味又は分類に関するオプションはユーザが選択するために円周上に出現する。この入力方法は、いくつかの一般的な文字又は単語を入力するために使用可能である。図５０−１は、英語の分類を表すアイコンが押下される場合の円周上の分類の拡張を示す。図５０−２、図５０−３及び図５０−４は、図５０−１の実施形態を示す。食物及び飲料を表すアイコンがクリックされる場合、分類はユーザが選択するために一般的な食物及び飲料製品を示すように拡張される。図５０−６において、会話及び挨拶の言葉を表すアイコンがクリックされる場合、分類はユーザが選択するために一般的な挨拶の言葉を示すように拡張される。図５０−５及び図５０−６は、中国語のアイコン及び分類の拡張の実施形態を示す。図５０−７〜図５０−１２は、中国語の文字、単語及び文の階層的拡張を示す。図５０−１３〜図５０−１８は、数字の円に対する分類を使用した入力方法を示す。図５０−１４において、英語の「week（週）」のアイコンが入力される場合、ユーザが選択するために曜日が表示される。図５０−１５において、英語の「month（月）」のアイコンが入力される場合、ユーザが選択するために月が表示される。図５０−１６は、始点の位置情報を利用することによる時間の高速入力を示す。ゾーン「month（月）」から「3」を指示することは「March（３月）」の入力を示す。ゾーン「week（週）」から「5」を指示することは「Friday（金曜日）」の入力を示す。ゾーン「hour」から「2」を指示することは「two hours（２時間）」の入力を示す。ゾーン「minutes」から「5」を指示することは「five minutes（５分）」の入力を示す。図５０−１８は、中国の干支の分類を使用した入力を示す。
【０１４７】
図５０−１９は、アイコンがクリックされる場合の円の拡張を示す。図７−１９において、アイコンがクリックされる場合、他のアイコンは消滅し、ユーザが選択するためにアイコンから拡張された円が表示される。あるいは、最小化された状態のＭＭＩを表す１つのアイコンのみが元々存在する。アイコンがクリックされる場合、ＭＭＩは開かれる。アイコンが再度クリックされる場合、ＭＭＩは最小化される。あるいは、拡張は、オペレーティングシステムのアイコンの操作を表す。例えば、「スタート」を表すアイコンがクリックされる場合、「プログラム」、「マイコンピュータ」、「コントロールパネル」及び「インターネット」等のコンピュータのアイコンが表示される。ユーザがそれらアイコンのうちの１つに向けてスライドする場合、アイコンは更なるアイコンを表示するために更に拡張される。例えば、ユーザがアイコン「マイコンピュータ」に向けてスライドする場合、アイコン「ディスクＣ」及び「ディスクＤ」を有する別の円が表示される。次に、ユーザは更にスライドして必要なフォルダを選択してもよく、必要なファイルを選択するために再度スライドしてもよい。処理全体は、図２４−１〜図２４−３に示すように階層的拡張処理である。連続スライドによりオペレーティングシステム内のアイコンを選択する方法は、レベル毎にマウスでクリック及び選択する既存の方法を置き換えるために使用されてもよく、これはより利便性が高く且つ魅力的である。
【０１４８】
本発明において提供されるＭＭＩは、従来の入力方法と同様の個々の文字のシングルクリック又はダブルクリックによる単語の連続入力をサポートする。通常、シングルクリックは小文字の入力を示し、ダブルクリックは大文字の入力を示す。文字ではない数字・記号等の次の文字をダブルクリックすることは、文字の大文字への変換を示す。文字の次の文字をダブルクリックすることは、２つの同一文字の連続入力を示す。ユーザは全ての形態素を別個に入力できる。単一の形態素を有する外周セルの場合、ユーザはシングルクリックにより外周セル内の形態素を入力できる。複数の形態素を有する外周セルの場合、ユーザは、以下の表に示す方法１、方法２及び方法３のいずれかを用いて外周セル内の形態素を入力できる。あるいは、ユーザは、以下の表に示す方法７を用いて、すなわち外周セルを直接組み合わせた入力により、個々の形態素を入力できる。図５２は、外周セルを直接組み合わせた入力による入力を示すフローチャートである。ユーザは、最初の形態素を別個に入力し且つ組み合わせた入力により残りの形態素を入力できる。最初の形態素を入力するための３つの方法が存在する。方法７は入力速度が最も速いが、単語を選別する可能性が高い。従って、この方法は移動電話上での入力等の適用機会に適している。これは、移動電話上で入力される大部分の単語が日常生活に関連する単語であるため、単語が選別される可能性が低いためである。方法１、方法２及び方法３は入力速度が遅いが、全ての形態素はこれらの方法を用いて別個に判定可能である。従って、これらの方法は、個人名、地名及び辞書に掲載されることが少ない略称の入力に適している。その場合、ユーザが単語の入力を達成した後、システムは手動で入力された単語をシステムのデータベースに追加する。それにより、ユーザは次の機会に形態素を１つずつ入力する必要がなく、方法７を用いて組み合わせた方法でそれらを直接入力できる。方法４、方法５及び方法６は速度と単語の選別との間の妥協点を見つけ、コンピュータ等の膨大な入力情報を必要とする適用機会に適している。
2011520204.tif 000032
【０１４９】
本発明において提供されるＭＭＩを使用して情報を入力する場合、ユーザは、自身の習慣、ＭＭＩに対する精通度、並びに所期の入力精度及び入力速度に従って、ユーザが外周セルを指示する際に使用される入力確定機構を設定できる。１つの方式において、ユーザが外周セルを指示する場合、システムは指示を行わずに外周セル内の内容を直接入力し、ユーザは次の外周セル内の内容の入力を続行する。別の方式において、ユーザが外周セルを指示する場合、システムは外周セル内の内容を直接入力し、外周セル内の内容が入力されたことを示すために異なる方法で外周セルを表示する。別の方式において、ユーザが外周セルを指示する場合、システムは外周セル内の内容を入力せず、ユーザが外周セルを指していることを示すために異なる方法で外周セルを表示し、ユーザが確定するのを待つ。ユーザが移動方向での移動を続行して入力を確定する場合、システムは外周セル内の内容を入力し且つユーザにフィードバックを提供するために異なる方法で外周セルを表示する。
2011520204.tif 000033
【０１５０】
上述の方法１〜方法６は、形態素の順序に基づいて方法１４、１５、１６、２４、２５、２６、３４、３５及び３６の９つの方法に組み合わせ可能である。この場合、方法１４は入力速度が最も速く、熟練者に適している。方法３６は精度が最も高く、初心者に適している。方法３及び方法６におけるユーザによる入力確定は以下に示す通りである。すなわち、システムにより異なる方法で現在表示されている外周セル内の内容がユーザの所期の内容である場合、ユーザは現在の移動方向での移動を続行してもよい。しかし、システムにより異なる方法で現在表示されている外周セルの内容がユーザの所期の内容ではない場合、ユーザは必要な外周セルを指示するために移動方向を変更してもよい。
【０１５１】
加速度センサを用いる場合、本発明において提供されるＭＭＩを使用するデバイスは、振動により異なるインタフェース間で切り替わる。例えば、デバイスが初めて振動される場合、デバイスは数字の円に切り替わる。デバイスが再度振動される場合、デバイスは句読記号入力に切り替わる。デバイスが更に振動される場合、デバイスは切り替わって元のインタフェースに戻る。あるいは、デバイスは、左へ振動される場合に数字の円に切り替わり、右へ振動される場合に句読記号入力に切り替わり、上へ振動される場合に別の種類の言語又は入力方法に切り替わり（例えば、中国語から英語に切り替わるか又は音声入力から字画入力に切り替わり）、下へ振動される場合に手書き入力に切り替わるように構成されてもよい。ユーザは自身の習慣及び好みに従って、振動方向に対応するインタフェースを構成できる。
【０１５２】
図５３〜図５５は、図５−１に示す円の他の言語における実施形態を示す。図５３は、日本語、韓国語及び約４０〜６０個の形態素単位を含む他の言語に対する円を列挙する。そのような言語の形態素は、本発明において説明した日本語の入力を参照して、言語の規則に従って組み合わせて入力されてもよい。入力は、図３２及び図３９と同様の方法で実行可能である。図５４は、英語と同じ基本文字及び更なる文字の異体字を含む言語を列挙する。そのような言語の入力は図８に示す英語の円により達成される。あるいは、そのような言語の特徴に従って複数の変更が英語の円に加えられてもよい。例えば、それらの言語における高頻度の文字は別個に構成されてもよく、英語に存在しない複数の文字が追加されてもよい。スペイン語、スウェーデン語又はイタリア語等の英語に類似するが複数の母音の異体字を有する言語の入力は、図８−３に示す方法を用い且つ図１８−１に示す方法を用いて母音の異体字を入力することにより直接達成可能である。ドイツ語、フィンランド語等の文字「S」の異体字を有する言語の入力は、図８−６に示す円を用い且つ別個のセルに文字「S」の異体字を割り当てることにより入力可能である。図５５は、基本形態素がより少なく且つ英語と非常に異なる言語を列挙する。これらの言語の場合、高頻度の文字は別個の外周セル内に構成され、他の文字は、言語の規則及び文字の頻度に従って、英語と同様の方法を用いて他の外周セル内に順に組み合わされて構成されてもよい。アラビア語、タイ語、チベット語、サンスクリット語、モンゴル語、ベンガル語等の６１個以上の基本形態素を有する非常に複雑な言語の場合、入力は中国語の円に対する方法を参照して達成可能である。中国語には数百個の部首及び構成要素が存在するが、一般的な字画及び構成要素が抜粋されてもよい。あるいは、これらの言語の場合、図１２に示す設計を参照して、複数の基本的な字画を使用し且つ言語の特徴に従って全ての文字及び記号を形成してもよい。
【０１５３】
説明において用いられた３つの主要な言語（英語、中国語及び日本語）における入力の技術方式が全ての言語に実質的に適用可能であることは上述から明らかである。入力は、円及び本発明において提供される画期的なスライド入力方法により都合よく達成可能であり、実際のＱＷＥＲＴＹキーボード又はデバイスのサイズに制限されない。本発明は、都合のよい入力を実現するために移動電話において使用されてもよい。本発明において提供されるＭＭＩを使用する場合、どんなユーザも英語のキーボードに対応付けることなく自身の母国語で直接入力できる。従って、本発明は世界の文化を豊かにするのに非常に有用である。
【０１５４】
添付の図面に示した異なる言語の記号体系に対するインタフェースは、本発明の技術的理想を単に例示し且つ説明するために提供されたものであり、本発明を限定するものであると考えられるべきではない。特定の用途おいて、本発明の趣旨から逸脱することなく、世界の他の言語及び文字の特徴に従って、それらの言語及び文字に対応するように適切な設計を取得するか又は適切な変更を加えることができる。しかし、そのような設計の全ては、本発明の保護範囲に含まれると考えられるべきである。異なる言語及び記号体系に対する入力方法の設計において、入力に関する現状、すなわち、母国語が英語ではない多くのユーザは自身の母国語の形態素を英語のＱＷＥＲ構成に対応付ける必要があるため入力において不便さ及び高い学習コストに直面するという状況を取り除くために、世界中の全ユーザが困難な学習過程を経ることなく自身の母国語で直感的且つ円滑に入力できるように、入力記号は言語及び記号体系における特徴及び記号の順序に従う方法で構成される必要がある。更に、本発明の技術方式を用いる場合、世界中の全ユーザは外国語を使用する際に言語自体から始められるため、外国語をより容易に学習し且つ使用できる。
【０１５５】
本発明において上述した実施形態は、単に本発明を明確にするために提供され、本発明を開示された形態のいずれかに限定することを意図しない。上述の使用法又は本発明において提供された実施形態に基づいて、本発明に変更又は変形を加えることができる。それらの実施形態は、単に本発明の原理を説明及び例示するため、並びに当業者が実際の用途において本発明を利用できるようにするために選択され且つ説明された。本発明の技術的理想は請求の範囲によってのみ制限される。
【図１】
2011520204.tif 000039
【図２】
2011520204.tif 000040
【図３】
2011520204.tif 000041
【図４】
2011520204.tif 000042
【図５】
2011520204.tif 000043
【図６】
2011520204.tif 000044
【図７】
2011520204.tif 000045
【図８】
2011520204.tif 000046
【図９】
2011520204.tif 000047
【図１０】
2011520204.tif 000048
【図１１】
2011520204.tif 000049
【図１２】
2011520204.tif 000050
【図１３】
2011520204.tif 000051
【図１４】
2011520204.tif 000052
【図１５】
2011520204.tif 000053
【図１６】
2011520204.tif 000054
【図１７】
2011520204.tif 000055
【図１８】
2011520204.tif 000056
【図１９】
2011520204.tif 000057
【図２０】
2011520204.tif 000058
【図２１】
2011520204.tif 000059
【図２２】
2011520204.tif 000060
【図２３】
2011520204.tif 000061
【図２４】
2011520204.tif 000062
【図２５】
2011520204.tif 000063
【図２６】
2011520204.tif 000064
【図２７】
2011520204.tif 000065
【図２８】
2011520204.tif 000066
【図２９】
2011520204.tif 000067
【図３０】
2011520204.tif 000068
【図３１】
2011520204.tif 000069
【図３２】
2011520204.tif 000070
【図３３】
2011520204.tif 000071
【図３４】
2011520204.tif 000072
【図３５】
2011520204.tif 000073
【図３６】
2011520204.tif 000074
【図３７】
2011520204.tif 000075
【図３８】
2011520204.tif 000076
【図３９】
2011520204.tif 000077
【図４０】
2011520204.tif 000078
【図４１】
2011520204.tif 000079
【図４２】
2011520204.tif 000080
【図４３】
2011520204.tif 000081
【図４４】
2011520204.tif 000082
【図４５】
2011520204.tif 000083
【図４６】
2011520204.tif 000084
【図４７】
2011520204.tif 000085
【図４８】
2011520204.tif 000086
【図４９】
2011520204.tif 000087
【図５０】
2011520204.tif 000088
【図５１】
2011520204.tif 000089
【図５２】
2011520204.tif 000090
【図５３】
2011520204.tif 000091
【図５４】
2011520204.tif 000092
【図５５】
2011520204.tif 000093
【手続補正書】
【提出日】平成23年1月13日(2011.1.13)
【手続補正１】
【補正対象書類名】特許請求の範囲
【補正対象項目名】全文
【補正方法】変更
【補正の内容】
【特許請求の範囲】
【請求項１】
マン−マシーンインターフェースがユーザーの入力をリアルタイムで予測する方法であって、前記方法が、以下のステップ
（ａ）円の円周は外周セルに分割され、入力される内容は前期外周セル内に配置されること、
（ｂ）移動方向はリアルタイムで検出され、前記ユーザーにより入力される前記内容は前記移動方向の延長線に存在する前記外周セル内の前記内容に基づいて予測及び判断されること、
（ｃ）記前ユーザにより入力される前記内容の前記予測及び前記判断を補助するために前記移動経路の始点、方向転換点及び終点の位置情報、休止時間、並びに圧力の大きさはリアルタイムで検出されること、
を含むことを特徴とする方法。
【請求項２】
前記ステップ（ａ）において、入力される前記内容は、端と端とが接する中空配列を形成するようにアルファベットの順序に従い、前期外周セル内に配置されることを特徴とする請求項１に記載のマン−マシーンインターフェースがユーザーの入力をリアルタイムで予測する方法。
【請求項３】
前記ステップ（ａ）において、入力される前記内容が前期外周セル内に配置され、高頻度の形態素又は特定目的の形態素は外周セル内に別個に配置され、他の形態素は形態素の順序又は分類により外周セル内にそれぞれ共に配置されるか、または前記外周セルのそれぞれが複数の形態素をその中に有することを特徴とする請求項１に記載のマン−マシーンインターフェースがユーザーの入力をリアルタイムで予測する方法。  
【請求項４】
前記方法がさらに、英語及び英語に類似する他の言語に対するインタフェースにおいて、５つの文字「A、E、I、O、T」が１つの外周セル内に別個に配置されるか、５つの母音字「A、E、I、O、U」が外周セル内に別個に配置されるか、漢字に対する前記インタフェースにおいて、５つの必須字画
2011520204.tif 000094
が外周セル内に別個に配置され、日本語の文字に対する前記インタフェースにおいて、日本語の仮名が５０音順に従って５つ毎に外周セル内に共に配置されることを含むことを特徴とする請求項３に記載の、マン−マシーンインターフェースがユーザーの入力をリアルタイムで予測する方法。  
【請求項５】
前記移動方向は、
前記円周から内側へスライドすることは、前期始点の前記外周セル内の前記内容及び前記移動方向に存在する前記外周セル内の前記内容を入力することを示し、
前記円周から内側へスライドすることは、数字の円において、前記始点の前記数字の数だけ指示された前記数字を入力することを意味し、
前記円の内側から前記外周に向けてスライドすることは、方向の延長線が指示する前記外周セルの前記内容を入力することを意味し、
前記始点で休止することは、単語または文における前記形態素の前記位置を示すことを意味し、
前記円内から前記円周にスライドすることは、終点の前記形態素を先頭文字として高頻度の単語又は句を高速入力することを意味し、
前記円周から外側へスライドすることは、大文字又は文字の異体字を入力するか、あるいは単語を高速入力することを意味し、
前記円周から外側へスライドした後、スライドして戻ることは、文字の異体字を入力するか、あるいは単語又は句をショートカット入力することを意味し、
前記２つの隣接する外周セル間をスライドすることは、隣接する２つの外周セル内の形態素の組み合わせを入力することを意味し、
外周セル内でスライドすることは、複数の形態素を有する外周セルにおいて、形態素を選択することを意味し、
外周セル内でスライドすることは、単一の形態素を有する外周セルにおいて単語を高速入力することを意味し、
２本の指を前記円周から内側へ引き寄せることは、前記２つの開始外周セル内の前記形態素の組み合わせを入力することを意味し、
２本の指を前記円周から外側へ広げることは、前記延長線が指示する前記２つの外周セル内の前記形態素の組み合わせを入力することを意味し、
２本の指を前記円周上で回転させることは、前記インターフェースを回転するか又は切り替えることを意味する、
ことを含むことを特徴とする請求項１に記載のマン−マシーンインターフェースがユーザーの入力をリアルタイムで予測する方法。
【請求項６】
現在の移動方向が指示する前記外周セル内の前記内容はリアルタイムで変化し、漸進的形態素列は前記ユーザが選択及び続行するために階層的に指示され、前記移動方向が前記外周セルをそれ以上指示しない場合、前記外周セル内の前記内容は前記初期状態に戻ることを特徴とする請求項１に記載のマン−マシーンインターフェースがユーザーの入力をリアルタイムで予測する方法。
【請求項７】
前記方法がさらに、単語が入力される場合、入力に関係する前記外周セルに依存して異なる内容が指示され、前記第１の外周セル及び前記第２の外周セル内の前記内容が入力される場合、前記指示機能は前記ユーザが選択するために前記外周セル内の前記形態素から始まる一般的な接頭語又は文字列を指示し、前記第２の外周セル及び前記第３の外周セル内の前記内容が入力される場合、前記指示機能は前記ユーザが選択するために前記外周セル内の前記形態素から始まる一般的な文字列を指示し、前記第３の外周セル及び更なる外周セル内の前記内容が入力される場合、前記指示機能は前記外周セル内の前記形態素から始まる一般的な接尾語又は文字列を指示し、前記ＭＭＩはラテン語の入力中にアルファベットの異体字を指示することを含むことを特徴とする請求項５に記載のマン−マシーンインターフェースがユーザーの入力をリアルタイムで予測する方法。
【請求項８】
中国語の入力中、漸進的形態素列は以下の表に示すように階層的に指示されることを特徴とする請求項６に記載のマン−マシーンインターフェースがユーザーの入力をリアルタイムで予測する方法。
2011520204.tif 000095
【請求項９】
前記方法がさらに、複数の形態素を有する外周セルは拡張及び拡大機能を有し、前記移動方向に存在する前記複数の形態素を有する外周セル内の前記形態素は、前記ユーザが選択するために前記隣接する外周セルに拡張及び拡大可能であり、拡張及び拡大後、前記複数の形態素を有する外周セル内の各形態素は外周セルを別個に占有することを含むことを特徴とする請求項１に記載のマン−マシーンインターフェースがユーザーの入力をリアルタイムで予測する方法。
【請求項１０】
複数の形態素を有する拡張可能な外周セル内の前記形態素は、前記外周セル内の前記中央の形態素を中心とした両側に向けての拡張、前記外周セル内の前記高頻度の形態素を中心とした両側に向けての拡張、あるいは前記移動方向により指示された前記形態素を中心とした両側に向けての拡張の３種類で拡張可能であることを特徴とする請求項９に記載のマン−マシーンインターフェースがユーザーの入力をリアルタイムで予測する方法。
【請求項１１】
前記方法がさらに、前記外周セルは傾斜拡大機能を有し、すなわち、前記移動方向により指示された前記隣接する外周セルの各角度は前記ユーザが選択するために拡大可能であることを含むことを特徴とする請求項１に記載のマン−マシーンインターフェースがユーザーの入力をリアルタイムで予測する方法。
【請求項１２】
前記方法がさらに、アイコンを使用した入力方法及び分類を使用した入力方法であって、アイコンがクリック又はスライドにより入力される場合、前記アイコンにより表される分類の内容は前記ユーザが選択するために階層的に拡張され、前記オペレーティングシステムの前記アイコンは連続スライドにより操作可能である方法を含むことを特徴とする請求項１に記載のマン−マシーンインターフェースがユーザーの入力をリアルタイムで予測する方法。
【請求項１３】
前記方法がさらに、外周セルの直接組み合わせに基づく入力方法であって、前記ユーザが複数の外周セルを連続して直接入力する場合、前記システムはこれら外周セル内の全形態素の全ての可能な組み合わせから有意な組み合わせを自動的にフィルタリングし、有意な組み合わせが１つのみ存在する場合、前記組み合わせが直接入力され、２つ以上の組み合わせが存在する場合、頻度の最も高い組み合わせが直接入力される一方で他の組み合わせはユーザが選択するために提供される方法を含むことを特徴とする請求項１に記載のマン−マシーンインターフェースがユーザーの入力をリアルタイムで予測する方法。
【請求項１４】
前記方法がさらに、外周セルの方向の組み合わせに基づく前記入力方法に対する最初の形態素の補助的選別方法であって、前記最初の形態素は別個に入力され、２番目の形態素以降は複数の外周セルが連続して直接入力され、前記システムは全ての可能な組み合わせから有意な組み合わせをフィルタリングし、有意な組み合わせが１つのみ存在する場合、前記組み合わせが直接入力され、２つ以上の組み合わせが存在する場合、頻度の最も高い組み合わせが直接入力される一方で他の組み合わせはユーザが選択するために提供される方法を含むことを特徴とする請求項１に記載のマン−マシーンインターフェースがユーザーの入力をリアルタイムで予測する方法。
【請求項１５】
前記方法がさらに、前記ユーザが形態素の組み合わせを選択するための方法であって、前記外周セル内の入力された形態素の組み合わせが少数しか存在しない形態素の組み合わせとして認識される場合、これら形態素の組み合わせは前記ユーザが選択するために前記円上に直接表示される方法を含むことを特徴とする請求項１に記載のマン−マシーンインターフェースがユーザーの入力をリアルタイムで予測する方法。
【請求項１６】
前記始点のゾーンに対応する前記外周セル内の前記正確な形態素が選択されるか、あるいは前記指示された外周セルに対する始点の前記ゾーンの前記位置に従って前記外周セル内の前記形態素が選択され、前記始点の前記ゾーンが前記外周セルに対向する場合、前記外周セル内の前記中央の形態素が入力され、始点の前記ゾーンが前記外周セルに隣接する場合、前記対応する側に存在する前記形態素が入力されることを特徴とする請求項１に記載のマン−マシーンインターフェースがユーザーの入力をリアルタイムで予測する方法。
【請求項１７】
前記始点の前記ゾーンの情報に従って入力言語の種類又は同一言語の異体字を自動的に認識することを特徴とする請求項１に記載のマン−マシーンインターフェースがユーザーの入力をリアルタイムで予測する方法。
【請求項１８】
単語、句又は文全体の高度な入力を実現するために、前記始点の前記位置に従って異なるレベルで形態素の境界点、すなわち文字、単語、句又は文における形態素の位置を自動的に識別することを特徴とする請求項１に記載のマン−マシーンインターフェースがユーザーの入力をリアルタイムで予測する方法。
【請求項１９】
単語、句又は文全体の高度な入力を実現するために、前記始点の前記休止時間に従って異なるレベルで形態素の境界点、すなわち文字、単語、句又は文における形態素の位置を自動的に識別することを特徴とする請求項１に記載のマン−マシーンインターフェースがユーザーの入力をリアルタイムで予測する方法。
【請求項２０】
前記円を越えた方向転換点の位置に従って前記言語のアクセントの位置を判断し且つ前記方向転換点における前記休止時間に従って前記言語の長母音を判断することを特徴とする請求項１に記載のマン−マシーンインターフェースがユーザーの入力をリアルタイムで予測する方法。
【請求項２１】
前記始点の前記ゾーンに従って前記言語の音調を入力することを特徴とする請求項１に記載のマン−マシーンインターフェースがユーザーの入力をリアルタイムで予測する方法。
【請求項２２】
前記始点の前記ゾーンに従って、中国語又は韓国語等の漢字と同様の２次元空間情報を有する他の言語の形態素要素の構造情報を判断し、前記始点の前記ゾーンに従って、漢字における字画、構成要素又は表音文字の構造情報を判断することを特徴とする請求項１に記載のマン−マシーンインターフェースがユーザーの入力をリアルタイムで予測する方法。
【請求項２３】
前記始点の前記ゾーンに従って単語の長さを判断し、前記始点が前記円周上に存在する場合は前記入力された単語の前記長さがｎ以下であることを示し且つ前記始点が前記円内に存在する場合は前記入力された単語の前記長さがｎより長いことを示すか、あるいは前記始点が前記円内の特定のゾーン内に存在する場合は前記入力された単語の前記長さが３文字以下であることを示し、前記始点が前記円内の別のゾーン内に存在する場合は前記入力された単語の前記長さが４〜６文字であることを示し且つ前記始点が前記円内の異なるゾーン内に存在する場合は入力された単語の前記長さが７文字以上であることを示すことを特徴とする請求項１に記載のマン−マシーンインターフェースがユーザーの入力をリアルタイムで予測する方法。
【請求項２４】
前記始点の前記位置に従って入力内容の品詞又は意味の分類を判断することを特徴とする請求項１に記載のマン−マシーンインターフェースがユーザーの入力をリアルタイムで予測する方法。
【請求項２５】
前記方法がさらに複数の指を用いた操作を含み、前記指は前記インタフェース上でクリックしてスペースキー、エンターキー及び構文キーの機能を達成し、前記指が前記インタフェース上で異なる方向に向けてスライドする場合、前記インタフェースはそれに対応して切り替えられ、前記インタフェース上での異なる方向に向けた前記指のスライドによりキャプスロックキー、バックスペースキー及びエンターキーの機能が実現され、前記インタフェース上での異なる方向に向けた前記指のスライドによりオプションの文字又は単語からの選択及び最後に入力された内容の選択が実現され、前記インタフェース上での異なる方向に向けた前記指のスライドにより単語の時制の選択が実現されることを特徴とする請求項１に記載のマン−マシーンインターフェースがユーザーの入力をリアルタイムで予測する方法。
【請求項２６】
前記方法がさらに、複数の円を用いた操作を含み、前記インタフェースは、一方側の円形インタフェース及び他方側の手書き入力インタフェース、マウスインタフェース又は作図インタフェースをサポートするように設計されるか、あるいは前記インタフェースは２つの円を用いて動作してもよく、その場合、一方の円が１次円として使用され且つ他方の円が補助円として前記選択の拡大専用に使用されるか、あるいは前記２つの円の双方が１次円であってもよく、単語が一方の円に入力される場合に次の単語は他方の円に入力されてもよく、前記インタフェースは１次円、補助円、手書き入力インタフェース、作図インタフェース及びマウスインタフェースの間で切り替えられることを特徴とする請求項１に記載のマン−マシーンインターフェースがユーザーの入力をリアルタイムで予測する方法。
【請求項２７】
前記方法がさらに、前記音声入力及び文字／音声入力方法を含み、漢字入力において、前記方法は音声入力、文字パターン入力、音声／文字パターン入力及び字画入力を同時に提供し且つそれらの入力方法の間での切り替えをサポートすることを特徴とする請求項１に記載のマン−マシーンインターフェースがユーザーの入力をリアルタイムで予測する方法。
【請求項２８】
前記方法がさらに、クリック入力による高頻度の文字及び単語の直接入力、あるいは種々のショートカット入力方法を含むことを特徴とする請求項１に記載のマン−マシーンインターフェースがユーザーの入力をリアルタイムで予測する方法。
【請求項２９】
前記方法が構文ボタン機能を提供し、前記システムが前記構文キーの動作を検出する場合、前記システムは、前記現在入力された単語の品詞に従って、前記対応する構文の単語の入力を以下の表を含むように自動的に達成する方法含むことを特徴とする請求項１に記載のマン−マシーンインターフェースがユーザーの入力をリアルタイムで予測する方法。
2011520204.tif 000096
【請求項３０】
前記ＭＭＩは円形フレームと正方形フレームの組み合わせを含み、円形フレームと正方形フレームの間に４隅ゾーンが形成されることを特徴とする請求項１に記載のマン−マシーンインターフェースがユーザーの入力をリアルタイムで予測する方法。
【請求項３１】
キャプスロックキー、スペースキー、バックスペースキー及びエンターキーは円形フレームと正方形フレームとの間の前記４隅ゾーン内に構成され、更に、前記システムにより指示された代替の単語、句又は文から選択するため、前記ユーザにより前に入力された単語、句又は文から選択するため、一般的な単語、句又は文から選択するため、入力インタフェース間で切り替えるため、Ｅｓｃキー、タブキー、カーソルキー（上、下、左、右）、ページアップキー、ページダウンキー、ホームキー及び終了キーの機能を実現するため、コピー、切り取り、貼り付け、削除、取り消し及び再実行等の編集機能を実現するため、前の単語の先頭文字又は全ての文字を大文字に変換するか又は次の単語の先頭文字を大文字に変換する機能を実現するため、あるいは、前の単語又は文の直接削除か又は次の単語又は文の直接削除等を実現するために、スライド動作は、前記４つのゾーンのいずれか１つから開始して異なる方向に向けて実行され、前記漢字入力インタフェースにおいて、隅のゾーン内でのクリックは簡体字中国語と繁体字中国語との間の高速切り替えを達成し、隅のゾーン内でのスライドは手書き認識インタフェースへの切り替えを達成することを特徴とする請求項３０に記載のマン−マシーンインターフェースがユーザーの入力をリアルタイムで予測する方法。
【請求項３２】
前記方法がさらに、前記ユーザが個人名等のデータベースに存在しない前記単語を入力する場合、前記ユーザは前記形態素を１つずつ入力でき、前記ユーザがそのような単語又は句を入力すると、前記システムは前記システムのデータベースに前記単語を自動的に追加し、それにより前記ユーザはそれ以降前記単語又は前記句を連続入力できる方法を含むことを特徴とする請求項１に記載のマン−マシーンインターフェースがユーザーの入力をリアルタイムで予測する方法。
【請求項３３】
前記方法がさらに、スライド方向の検出に加えて、加圧方向及び振動方向を検出する方法を含むことを特徴とする請求項１に記載のマン−マシーンインターフェースがユーザーの入力をリアルタイムで予測する方法。
【請求項３４】
前記方法がさらに、前記デバイスを振動することによる異なる入力インタフェース間での切り替えをサポートする方法を含むことを特徴とする請求項１に記載のマン−マシーンインターフェースがユーザーの入力をリアルタイムで予測する方法。
【請求項３５】
前記方法は、前記ユーザーが前記外周セル内の前記内容の前記入力を確定するための３つの方法、
前記ユーザーが外周セルを指示するとき、前記システムは指示を行わず直接外周セルに入力し、次いで前記ユーザーは次の外周セルへの指示を継続する、
前記ユーザーが外周セルを指示するとき、前記システムは直接外周セルを入力し、異なる表示により外周セルを表示して、外周セルの入力が終了したことを示す、
前記ユーザーが外周セルを指示するとき、前記システムは前記ユーザーが指示するものが外周セルであるということを前記ユーザーに知らせるために、外周セルを直接入力せず、異なる方法で外周セルを表示し、前記ユーザーの確認を待ち、前記ユーザーが移動方向でさらなる移動により確認したら、前記システムは直接外周セルを入力するか、前記ユーザーに対し異なる方法で外周セルを表示する、
方法を含むことを特徴とする請求項１に記載のマン−マシーンインターフェースがユーザーの入力をリアルタイムで予測する方法。
【請求項３６】
前記ステップ（ｃ）はさらに前記ユーザーにより入力される前記内容の予測及び判断を補助するために、前記移動経路の前記始点、方向転換点及び終点を検出することを含むことを特徴とする請求項１に記載のマン−マシーンインターフェースがユーザーの入力をリアルタイムで予測する方法。
【国際調査報告】
2011520204.tif 000097
2011520204.tif 000098
2011520204.tif 000099
2011520204.tif 000100